(57)【要約】方法および装置は、ウェイクアップ無線に対する再発見およびメディアアクセスのために本明細書において説明される。例えば、ワイヤレス送信／受信ユニット（ＷＴＲＵ）は、第１のトランシーバーを介して、第１のカウンター値を有するウェイクアップ無線（ＷＵＲ）オペレーションエレメントを含むフレームを受信し得る。ＷＴＲＵは、第１のトランシーバーを非アクティブ化し第２のトランシーバーをアクティブ化することあり得り、第１のトランシーバーがドーズ状態に入り第２のトランシーバーがアウェイク状態にある。次にＷＴＲＵは、アウェイク状態にある第２のトランシーバーを介して、第１のトランシーバーに関連付けられた複数のベーシックサーバーセット（ＢＳＳ）パラメーターを示す第２のカウンター値を含むＷＵＲフレームを受信し得る。第２のカウンター値が第１のカウンター値と異なる条件で、ＷＴＲＵは、第１のトランシーバーをアクティブ化して複数のＢＳＳパラメーターを更新することがあり得り、第１のトランシーバーがアウェイク状態に入る。
2021511709.tif 000002
【特許請求の範囲】
【請求項１】
ワイヤレス送信／受信ユニット（ＷＴＲＵ）における使用のための方法であって、
プライマリーコネクティビティ無線（ＰＣＲ）トランシーバーを介して、第１のカウンター値を有するウェイクアップ無線（ＷＵＲ）オペレーションエレメントを含むフレームを受信するステップと、
前記ＰＣＲトランシーバーを非アクティブ化し、ウェイクアップ無線（ＷＵＲ）トランシーバーをアクティブ化するステップであって、前記ＰＣＲトランシーバーは、ドーズ状態に入り、前記ＷＵＲトランシーバーは、アウェイク状態にある、ステップと、
前記アウェイク状態における前記ＷＵＲトランシーバーを介して、前記ＰＣＲトランシーバーのベーシックサーバーセット（ＢＳＳ）に関連付けられた複数のＢＳＳパラメーターの更新が利用可能であることを示す第２のカウンター値を含むＷＵＲフレームを受信するステップと、
前記第２のカウンター値が前記第１のカウンター値と異なるという条件で、前記ＰＣＲトランシーバーをアクティブ化して、前記複数のＢＳＳパラメーターの更新を含むビーコンフレームを受信するステップであって、前記ＰＣＲトランシーバーは、アウェイク状態に入る、ステップと
を備えることを特徴とする方法。
【請求項２】
前記フレームは、ビーコンフレームまたはＷＵＲアクションフレームであることを特徴とする請求項１に記載の方法。
【請求項３】
前記アクションフレームは、ＷＵＲモードセットアップフレームであることを特徴とする請求項２に記載の方法。
【請求項４】
前記ＷＵＲトランシーバーは、コンパニオンラジオであることを特徴とする請求項１に記載の方法。
【請求項５】
前記ＷＵＲフレームは、ブロードキャストＷＵＲウェイクアップフレームであることを特徴とする請求項１に記載の方法。
【請求項６】
カウンター変数を維持するステップと、
前記ＷＵＲオペレーションエレメントにおける前記第１のカウンター値に前記カウンター変数の値を更新するステップと
をさらに備えることを特徴とする請求項１に記載の方法。
【請求項７】
前記アウェイク状態における前記ＰＣＲトランシーバーを介して、前記ＷＵＲフレームに応答して応答フレームを送信するステップ
をさらに備えることを特徴とする請求項１に記載の方法。
【請求項８】
ワイヤレス送信／受信ユニット（ＷＴＲＵ）であって、
第１のカウンター値を有するウェイクアップ無線（ＷＵＲ）オペレーションエレメントを含むフレームを受信するように構成されたプライマリーコネクティビティ無線（ＰＣＲ）トランシーバーと、
前記ＰＣＲトランシーバーに動作可能に接続されたウェイクアップ無線（ＷＵＲ）トランシーバーと、
前記ＰＣＲトランシーバーを非アクティブ化し、前記ＷＵＲトランシーバーをアクティブ化するように構成されたプロセッサーであって、前記ＰＣＲトランシーバーは、ドーズ状態に入り、前記ＷＵＲトランシーバーは、アウェイク状態にある、プロセッサーと、
前記ＰＣＲトランシーバーのベーシックサーバーセット（ＢＳＳ）に関連付けられた複数のＢＳＳパラメーターの更新が利用可能であることを示す第２のカウンター値を含むＷＵＲフレームを受信するようにさらに構成された前記アウェイク状態における前記ＷＵＲトランシーバーと、
前記第２のカウンター値が前記第１のカウンター値と異なるという条件で、前記ＰＣＲトランシーバーをアクティブ化して、前記複数のＢＳＳパラメーターの更新を含むビーコンフレームを受信するようにさらに構成された前記プロセッサーであって、前記ＰＣＲトランシーバーは、アウェイク状態に入る、プロセッサーと
を備えたことを特徴とするＷＴＲＵ。
【請求項９】
前記フレームは、ビーコンフレームまたはＷＵＲアクションフレームであることを特徴とする請求項８に記載のＷＴＲＵ。
【請求項１０】
前記アクションフレームは、ＷＵＲモードセットアップフレームであることを特徴とする請求項９に記載のＷＴＲＵ。
【請求項１１】
前記ＷＵＲトランシーバーは、コンパニオンラジオであることを特徴とする請求項８に記載のＷＴＲＵ。
【請求項１２】
前記ＷＵＲフレームは、ブロードキャストＷＵＲウェイクアップフレームであることを特徴とする請求項８に記載のＷＴＲＵ。
【請求項１３】
前記プロセッサーは、
カウンター変数を維持し、
前記ＷＵＲオペレーションエレメントにおける前記第１のカウンター値に前記カウンター変数の値を更新する
ようにさらに構成されることを特徴とする請求項８に記載のＷＴＲＵ。
【請求項１４】
前記アウェイク状態における前記ＰＣＲトランシーバーは、前記ＷＵＲフレームに応答して応答フレームを送信するようにさらに構成されることを特徴とする請求項８に記載のＷＴＲＵ。
【発明の詳細な説明】
【技術分野】
【０００１】
本発明は、ウェイクアップ無線に対する効率的な発見、再発見およびメディアアクセスのための方法および装置に関する。
【背景技術】
【０００２】
関連出願の相互参照
本出願は、その内容が参照により本明細書に組み込まれる、２０１８年１月１２日に出願された米国特許仮出願第６２／６１６，９７７号および２０１８年６月２９日に出願された米国特許仮出願第６２／６９１，７９９号の利益を主張する。
【０００３】
ＷＵＲ（wake-up radio；ウェイクアップ無線）レシーバーは、ウェイクアップ信号またはウェイクアップパケットを受信するためにＰＣＲ（primary connectivity radio；プライマリーコネクティビティ無線）に対するコンパニオンラジオ（companion radio）として動作し得る。ウェイクアップ信号またはウェイクアップパケットは、制御情報を搬送し、１ミリワット（ｍＷ）よりも少ないアクティブレシーバー電力消費量を有し得る。ＷＵＲレシーバーによってウェイクアップ信号またはウェイクアップパケットを受信することは、ＰＣＲをスリープからウェイクアップさせ得る。たとえば、アクセスポイント（ＡＰ）から送信されたウェイクアップ信号は、スリープモードからウェイクアップし、ＰＣＲを使用して受信活動を開始するようにＷＵＲレシーバーを装備したワイヤレス送信／受信ユニット（ＷＴＲＵ）をトリガーする。しかしながら、ＡＰが電力を失ったか、または既存のＷＴＲＵに関する情報を記憶した場合、ＡＰに以前に関連付けられたＷＴＲＵは、ＡＰがＷＴＲＵについての既存のＷＵＲ情報を有していないことに気づいていないことがある。さらにまた、マルチキャストウェイクアップ信号がいくつかのＷＴＲＵをウェイクアップするために使用されるとき、ウェイクアップされているＷＴＲＵがほぼ同じ時間に媒体にアクセスしようと試みるので、ワイヤレスメディアに輻輳があり得る。したがって、ＷＴＲＵが効率的にＡＰを再発見し、および／またはＷＵＲのための媒体に確実にアクセスすることを可能にする方法および装置が必要とされる。
【発明の概要】
【課題を解決するための手段】
【０００４】
ウェイクアップ無線に対する効率的な（再）発見およびメディアアクセスのための方法および装置について本明細書で説明する。たとえば、ワイヤレス送信受信ユニット（ＷＴＲＵ）は、第１のトランシーバーを介して、第１のカウンター値を有するＷＵＲ（wake-up radio；ウェイクアップ無線）のオペレーションエレメント（operation element）を含むフレームを受信し得る。受信されるフレームは、ビーコンフレームまたはＷＵＲモードセットアップフレームなどのＷＵＲアクションフレーム（action frame）であり得る。ＷＴＲＵは、カウンター変数（またはカウンターフィールド）を維持し、カウンター変数の値をＷＵＲオペレーションエレメント中の第１のカウンター値に更新し得る。アクセスポイント（ＡＰ）とのＷＵＲパラメーターについてのネゴシエーションプロシージャが完了された後、ＷＴＲＵは、第１のトランシーバーを非アクティブ化し、第２のトランシーバーをアクティブ化し得、それによって、ＷＴＲＵの電力消費量を節約するために第１のトランシーバーがドーズ状態（doze state）に入り、第２のトランシーバーがアウェイク状態（awake state）になる。第２のトランシーバーがアウェイク状態にある間、ＷＴＲＵは、第２のトランシーバーを介して、第１のトランシーバーのＢＳＳ（basic server set；ベーシックサーバーセット）に関連する複数のＢＳＳパラメーターの更新が利用可能であることを示す第２のカウンター値を含むＷＵＲフレームを受信し得る。ＷＵＲフレームは、ブロードキャストＷＵＲウェイクアップフレームであり得る。第２のカウンター値が第１のカウンター値とは異なる場合、ＷＴＲＵは、複数のＢＳＳパラメーターを更新するためにドーズ状態にある第１のトランシーバーをアクティブ化し得る。第１のトランシーバーは、次いで、アウェイク状態に入り、ＡＰから、複数のＢＳＳパラメーターを含むビーコンフレームを受信し得る。第１のトランシーバーは、ＰＣＲ（primary connectivity radio；プライマリーコネクティビティ無線）であり得、第２のトランシーバーは、コンパニオンラジオ、ウェイクアップ無線またはウェイクアップ無線のレシーバーであり得る。
【図面の簡単な説明】
【０００５】
より詳細な理解は、添付の図面と併せて例として与えられる以下の説明から得ることができ、ここにおいて、図中の同様の参照番号は同様の要素を示す。
【０００６】
【図１Ａ】１つまたは複数の開示する実施形態が実装され得る例示的な通信システムを示すシステム図である。
【図１Ｂ】一実施形態による、図１Ａに示す通信システム内で使用され得る例示的なワイヤレス送信／受信ユニット（ＷＴＲＵ）を示すシステム図である。
【図１Ｃ】一実施形態による、図１Ａに示す通信システム内で使用され得る例示的な無線アクセスネットワーク（ＲＡＮ）と例示的なコアネットワーク（ＣＮ）とを示すシステム図である。
【図１Ｄ】一実施形態による、図１Ａに示す通信システム内で使用され得るさらなる例示的なＲＡＮとさらなる例示的なＣＮとを示すシステム図である。
【図２】１つまたは複数の開示する実施形態が実装され得る例示的なＷＵＲ（wake-up radio；ウェイクアップ無線）システムを示すシステム図である。
【図３】基本サービスセット（ＢＳＳ）カウンターを使用する例示的な（再）発見プロシージャを示す図である。
【図４】暗黙的マルチユーザ利用可能なグループインジケーションを用いる例示的なＳＴＡプロシージャを示す図である。
【図５】明示的ＰＣＲ動作インジケーションを用いる例示的なＳＴＡプロシージャを示す図である。
【図６】１つまたは複数のグループ遅延に基づくマルチＳＴＡウェイクアップおよびアップリンク（ＵＬ）マルチユーザ（ＭＵ）メディアアクセスのための例示的なプロシージャを示す図である。
【図７】ＷＵＲトリガーフレームを用いる例示的なＳＴＡプロシージャを示す図である。
【図８】ＷＵＲモード要素の例示的なグループＩＤリストサブフィールドを示す図である。
【図９】グループ最大ＰＣＲ遷移時間の存在を示すＷＵＲパラメーター制御フィールドの例示的なフレームフォーマットを示す図である。
【図１０】ＷＵＲモード要素の例示的なＷＵＲパラメーターフィールドを示す図である。
【図１１】フォーマット１の例示的なグループ最大ＰＣＲ遷移時間サブフィールドを示す図である。
【図１２】フォーマット２の例示的なグループ最大ＰＣＲ遷移時間サブフィールドを示す図である。
【発明を実施するための形態】
【０００７】
図１Ａは、１つまたは複数の開示する実施形態が実装され得る例示的な通信システム１００を示す図である。通信システム１００は、複数のワイヤレスユーザに音声、データ、ビデオ、メッセージング、ブロードキャストなどのコンテンツを与える多元接続システムであり得る。通信システム１００は、ワイヤレス帯域幅を含むシステムリソースの共有を通してそのようなコンテンツに複数のワイヤレスユーザがアクセスすることを可能にし得る。たとえば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）、ゼロテールユニークワードＤＦＴ拡散ＯＦＤＭ（ＺＴ  ＵＷ  ＤＴＳ−ｓ  ＯＦＤＭ：zero-tail unique-word DFT-Spread OFDM）、ユニークワードＯＦＤＭ（ＵＷ−ＯＦＤＭ：unique word OFDM）、リソースブロックフィルタ処理済みＯＦＤＭ（resource block-filtered OFDM）、フィルタバンクマルチキャリア（ＦＢＭＣ：filter bank multicarrier）などの１つまたは複数のチャネルアクセス方法を採用し得る。
【０００８】
図１Ａに示すように、通信システム１００は、ワイヤレス送信／受信ユニット（ＷＴＲＵ）１０２ａ、１０２ｂ、１０２ｃ、１０２ｄと、ＲＡＮ１０４／１１３と、ＣＮ１０６／１１５と、公衆交換電話網（ＰＳＴＮ）１０８と、インターネット１１０と、他のネットワーク１１２とを含み得るが、開示する実施形態が、任意の数のＷＴＲＵ、基地局、ネットワーク、および／またはネットワーク要素を企図することを諒解されよう。ＷＴＲＵ１０２ａ、１０２ｂ、１０２ｃ、１０２ｄの各々は、ワイヤレス環境において動作および／または通信するように構成された任意のタイプのデバイスであり得る。例として、いずれかが「局」および／または「ＳＴＡ」と呼ばれることがあるＷＴＲＵ１０２ａ、１０２ｂ、１０２ｃ、１０２ｄは、ワイヤレス信号を送信および／または受信するように構成され得、ユーザー機器（ＵＥ）、移動局、固定またはモバイル加入者ユニット、サブスクリプションベースのユニット、ページャ、セルラー電話、携帯情報端末（ＰＤＡ）、スマートフォン、ラップトップ、ネットブック、パーソナルコンピュータ、ワイヤレスセンサ、ホットスポットまたはＭｉ−Ｆｉデバイス、モノのインターネット（ＩｏＴ）デバイス、ウォッチまたは他のウェアラブルなもの、ヘッドマウントディスプレイ（ＨＭＤ）、ビークル、ドローン、医療デバイスおよびアプリケーション（たとえば、遠隔手術）、産業用デバイスおよびアプリケーション（たとえば、産業および／または自動処理チェーンコンテキストで動作するロボットおよび／または他のワイヤレスデバイス）、家庭用電子機器デバイス、商用および／または産業用ワイヤレスネットワーク上で動作するデバイスなどを含み得る。ＷＴＲＵ１０２ａ、１０２ｂ、１０２ｃおよび１０２ｄのいずれかは、互換的にＵＥと呼ばれることがある。
【０００９】
通信システム１００はまた、基地局１１４ａおよび／または基地局１１４ｂを含み得る。基地局１１４ａ、１１４ｂの各々は、ＣＮ１０６／１１５、インターネット１１０、および／または他のネットワーク１１２などの１つまたは複数の通信ネットワークへのアクセスを容易にするためにＷＴＲＵ１０２ａ、１０２ｂ、１０２ｃ、１０２ｄのうちの少なくとも１つとワイヤレスにインターフェースするように構成された任意のタイプのデバイスであり得る。例として、基地局１１４ａ、１１４ｂは、送受信基地局（ＢＴＳ）、ノードＢ、ｅノードＢ、ホームノードＢ、ホームｅノードＢ、ｇＮＢ、ＮＲノードＢ、サイトコントローラ、アクセスポイント（ＡＰ）、ワイヤレスルータなどであり得る。基地局１１４ａ、１１４ｂが単一の要素として示されているが、基地局１１４ａ、１１４ｂが任意の数の相互接続された基地局および／またはネットワーク要素を含み得ることを諒解されよう。
【００１０】
基地局１１４ａは、他の基地局および／または基地局コントローラ（ＢＳＣ）、無線ネットワークコントローラ（ＲＮＣ）、リレーノードなどのネットワーク要素（図示せず）をも含み得るＲＡＮ１０４／１１３の一部であり得る。基地局１１４ａおよび／または基地局１１４ｂは、セル（図示せず）と呼ばれることがある１つまたは複数のキャリア周波数上でワイヤレス信号を送信および／または受信するように構成され得る。これらの周波数は、認可スペクトル、無認可スペクトル、または認可スペクトルと無認可スペクトルとの組合せ中にあり得る。セルは、比較的固定され得るか、または時間とともに変化し得る特定の地理的エリアにワイヤレスサービスのためのカバレージを与え得る。セルは、セルセクタにさらに分割され得る。たとえば、基地局１１４ａに関連するセルは、３つのセクタに分割され得る。したがって、一実施形態では、基地局１１４ａは、３つのトランシーバー、すなわち、セルのセクタごとに１つを含み得る。一実施形態では、基地局１１４ａは、多入力多出力（ＭＩＭＯ）技術を採用し得、セルのセクタごとに複数のトランシーバーを利用し得る。たとえば、所望の空間的方向で信号を送信および／または受信するために、ビームフォーミングが使用され得る。
【００１１】
基地局１１４ａ、１１４ｂは、任意の好適なワイヤレス通信リンク（たとえば、無線周波数（ＲＦ）、マイクロ波、センチメートル波、マイクロメートル波、赤外線（ＩＲ）、紫外線（ＵＶ）、可視光など）であり得るエアインターフェース１１６を介してＷＴＲＵ１０２ａ、１０２ｂ、１０２ｃ、１０２ｄのうちの１つまたは複数と通信し得る。エアインターフェース１１６は、任意の好適な無線アクセス技術（ＲＡＴ）を使用して確立され得る。
【００１２】
より詳細には、上記のように、通信システム１００は、多元接続システムであり得、ＣＤＭＡ、ＴＤＭＡ、ＦＤＭＡ、ＯＦＤＭＡ、ＳＣ−ＦＤＭＡなどの１つまたは複数のチャネルアクセス方式を採用し得る。たとえば、ＲＡＮ１０４／１１３中の基地局１１４ａおよびＷＴＲＵ１０２ａ、１０２ｂ、１０２ｃは、広帯域ＣＤＭＡ（ＷＣＤＭＡ）を使用してエアインターフェース１１５／１１６／１１７を確立し得るユニバーサル移動体（電話）通信システム（ＵＭＴＳ）地上波無線アクセス（ＵＴＲＡ）などの無線技術を実装し得る。ＷＣＤＭＡは、高速パケットアクセス（ＨＳＰＡ）および／または発展型ＨＳＰＡ（ＨＳＰＡ＋）などの通信プロトコルを含み得る。ＨＳＰＡは、高速ダウンリンク（ＤＬ）パケットアクセス（ＨＳＤＰＡ）および／または高速ＵＬパケットアクセス（ＨＳＵＰＡ）を含み得る。
【００１３】
一実施形態では、基地局１１４ａおよびＷＴＲＵ１０２ａ、１０２ｂ、１０２ｃは、ロングタームエボリューション（ＬＴＥ）および／またはＬＴＥアドバンスト（ＬＴＥ−Ａ）および／またはＬＴＥアドバンストプロ（ＬＴＥ−Ａ  Ｐｒｏ）を使用してエアインターフェース１１６を確立し得る発展型ＵＭＴＳ地上波無線アクセス（Ｅ−ＵＴＲＡ）などの無線技術を実装し得る。
【００１４】
一実施形態では、基地局１１４ａおよびＷＴＲＵ１０２ａ、１０２ｂ、１０２ｃは、新無線（ＮＲ）を使用してエアインターフェース１１６を確立し得るＮＲ無線アクセスなどの無線技術を実装し得る。
【００１５】
一実施形態では、基地局１１４ａおよびＷＴＲＵ１０２ａ、１０２ｂ、１０２ｃは、複数の無線アクセス技術を実装し得る。たとえば、基地局１１４ａおよびＷＴＲＵ１０２ａ、１０２ｂ、１０２ｃは、たとえば、デュアル接続性（ＤＣ）原理を使用してＬＴＥ無線アクセスとＮＲ無線アクセスとを一緒に実装し得る。したがって、ＷＴＲＵ１０２ａ、１０２ｂ、１０２ｃによって利用されるエアインターフェースは、複数のタイプの無線アクセス技術および／または複数のタイプの基地局（たとえば、ｅＮＢおよびｇＮＢ）との間で送られる送信によって特徴づけられ得る。
【００１６】
他の実施形態では、基地局１１４ａおよびＷＴＲＵ１０２ａ、１０２ｂ、１０２ｃは、ＩＥＥＥ８０２．１１（すなわち、ワイヤレスフィデリティー（ＷｉＦｉ）、ＩＥＥＥ８０２．１６（すなわち、ワールドワイドインターオペラビリティフォーマイクロウェーブアクセス（ＷｉＭＡＸ））、ＣＤＭＡ２０００、ＣＤＭＡ２０００  １Ｘ、ＣＤＭＡ２０００ＥＶ−ＤＯ、Ｉｎｔｅｒｉｍ  Ｓｔａｎｄａｒｄ２０００（ＩＳ−２０００）、Ｉｎｔｅｒｉｍ  Ｓｔａｎｄａｒｄ９５（ＩＳ−９５）、Ｉｎｔｅｒｉｍ  Ｓｔａｎｄａｒｄ８５６（ＩＳ−８５６）、グローバルシステムフォーモバイルコミュニケーションズ（ＧＳＭ）、ＧＳＭ進化型高速データレート（ＥＤＧＥ）、ＧＳＭ  ＥＤＧＥ（ＧＥＲＡＮ）などの無線技術を実装し得る。
【００１７】
図１Ａ中の基地局１１４ｂは、たとえば、ワイヤレスルータ、ホームノードＢ、ホームｅノードＢ、またはアクセスポイントであり得、職場、家庭、ビークル、構内、産業設備、（たとえば、ドローンが使用するための）空中回廊、道路などの局所的エリアでのワイヤレス接続性を容易にすることのために任意の好適なＲＡＴを利用し得る。一実施形態では、基地局１１４ｂおよびＷＴＲＵ１０２ｃ、１０２ｄは、ワイヤレスローカルエリアネットワーク（ＷＬＡＮ）を確立するためにＩＥＥＥ８０２．１１などの無線技術を実装し得る。一実施形態では、基地局１１４ｂおよびＷＴＲＵ１０２ｃ、１０２ｄは、ワイヤレスパーソナルエリアネットワーク（ＷＰＡＮ）を確立するためにＩＥＥＥ８０２．１５などの無線技術を実装し得る。また別の実施形態中で、基地局１１４ｂおよびＷＴＲＵ１０２ｃ、１０２ｄは、ピコセルまたはフェムトセルを確立するためにセルラーベースのＲＡＴ（たとえば、ＷＣＤＭＡ、ＣＤＭＡ２０００、ＧＳＭ、ＬＴＥ、ＬＴＥ−Ａ、ＬＴＥ−Ａ  Ｐｒｏ、ＮＲなど）を利用し得る。図１Ａに示すように、基地局１１４ｂは、インターネット１１０への直接接続を有し得る。したがって、基地局１１４ｂは、ＣＮ１０６／１１５を介してインターネット１１０にアクセスする必要がないことがある。
【００１８】
ＲＡＮ１０４／１１３は、ＷＴＲＵ１０２ａ、１０２ｂ、１０２ｃ、１０２ｄのうちの１つまたは複数に音声、データ、アプリケーション、および／またはボイスオーバーインターネットプロトコル（ＶｏＩＰ）サービスを与えるように構成された任意のタイプのネットワークであり得るＣＮ１０６／１１５と通信していることがある。データは、異なるスループット要件、レイテンシ要件、誤り耐性要件、信頼性要件、データスループット要件、モビリティ要件などの変動するサービス品質（ＱｏＳ）要件を有し得る。ＣＮ１０６／１１５は、呼の制御、課金サービス、モバイルロケーションベースのサービス、プリペイドコーリング（pre-paid calling）、インターネット接続性、ビデオ配信などを供給し、および／または例えば、ユーザー認証などの高レベルなセキュリティー機能を行うことがあり得る。図１Ａには示されていないが、ＲＡＮ１０４／１１３および／またはＣＮ１０６／１１５が、ＲＡＮ１０４／１１３と同じＲＡＴまたは異なるＲＡＴを採用する他のＲＡＮと直接的または間接的に通信していることがあることを諒解されよう。たとえば、ＮＲ無線技術を利用していることがあるＲＡＮ１０４／１１３に接続されることに加えて、ＣＮ１０６／１１５はまた、ＧＳＭ、ＵＭＴＳ、ＣＤＭＡ２０００、ＷｉＭＡＸ、Ｅ−ＵＴＲＡ、またはＷｉＦｉ無線技術を採用する別のＲＡＮ（図示せず）と通信していることがある。
【００１９】
ＣＮ１０６／１１５はまた、ＰＳＴＮ１０８、インターネット１１０、および／または他のネットワーク１１２にアクセスするためにＷＴＲＵ１０２ａ、１０２ｂ、１０２ｃ、１０２ｄのためのゲートウェイとして働き得る。ＰＳＴＮ１０８は、簡易電話サービス（ＰＯＴＳ）を与える回線交換電話網を含み得る。インターネット１１０は、ＴＣＰ／ＩＰインターネットプロトコルスイート中で伝送制御プロトコル（ＴＣＰ）、ユーザデータグラムプロトコル（ＵＤＰ）および／またはインターネットプロトコル（ＩＰ）などの共通の通信プロトコルを使用する相互接続されたコンピュータネットワークおよびデバイスのグローバルシステムを含み得る。ネットワーク１１２は、他のサービスプロバイダによって所有および／または動作される有線および／またはワイヤレス通信ネットワークを含み得る。たとえば、ネットワーク１１２は、ＲＡＮ１０４／１１３と同じＲＡＴまたは異なるＲＡＴを採用し得る１つまたは複数のＲＡＮに接続された別のＣＮを含み得る。
【００２０】
通信システム１００中でＷＴＲＵ１０２ａ、１０２ｂ、１０２ｃ、１０２ｄの一部または全部は、マルチモード能力を含み得る（たとえば、ＷＴＲＵ１０２ａ、１０２ｂ、１０２ｃ、１０２ｄは、異なるワイヤレスリンクを介して異なるワイヤレスネットワークと通信するための複数のトランシーバーを含み得る）。たとえば、図１Ａに示すＷＴＲＵ１０２ｃは、セルラーベースの無線技術を採用し得る基地局１１４ａと通信し、ＩＥＥＥ８０２無線技術を採用し得る基地局１１４ｂと通信するように構成され得る。
【００２１】
図１Ｂは、例示的なＷＴＲＵ１０２を示すシステム図である。図１Ｂに示すように、ＷＴＲＵ１０２は、特に、プロセッサー１１８、トランシーバー１２０、送信／受信エレメント１２２、スピーカー／マイクロフォン１２４、キーパッド１２６、ディスプレイ／タッチパッド１２８、取り外しできないメモリー１３０、取り外し可能なメモリー１３２、電源１３４、全地球測位システム（ＧＰＳ）チップセット１３６、および／または他のペリフェラル１３８を含み得る。ＷＴＲＵ１０２が、実施形態に一致したままでありながら、上記の要素の任意の部分組合せを含み得ることを諒解されよう。
【００２２】
プロセッサー１１８は、汎用プロセッサー、専用プロセッサー、従来のプロセッサー、デジタル信号プロセッサー（ＤＳＰ）、複数のマイクロプロセッサー、ＤＳＰコアに関連する１つまたは複数のマイクロプロセッサー、コントローラ、マイクロコントローラ、特定用途向け集積回路（ＡＳＩＣ）、フィールドプログラマブルゲートアレイ（ＦＰＧＡ）回路、他のタイプの集積回路（ＩＣ）、状態機械などであり得る。プロセッサー１１８は、信号コーディング、データ処理、電力制御、入出力処理、および／またはＷＴＲＵ１０２がワイヤレス環境において動作することを可能にする任意の他の機能を実行し得る。プロセッサー１１８は、送信／受信エレメント１２２に結合され得るトランシーバー１２０に結合され得る。図１Ｂに、別個の構成要素としてプロセッサー１１８とトランシーバー１２０とを示しているが、プロセッサー１１８とトランシーバー１２０とが電子パッケージまたはチップ中で一緒に統合され得ることを諒解されよう。
【００２３】
送信／受信エレメント１２２は、エアインターフェース１１６を介して、基地局（たとえば、基地局１１４ａ）もしくはＡＰ（アクセスポイント）に対して信号を送信する、または信号を受信するように構成されることがあり得る。たとえば、一実施形態では、送信／受信エレメント１２２は、ＲＦ信号を送信および／または受信するように構成されたアンテナであり得る。一実施形態では、送信／受信エレメント１２２は、たとえば、ＩＲ、ＵＶ、または可視光信号を送信および／または受信するように構成されたエミッター／ディテクターであり得る。また別の実施形態では、送信／受信エレメント１２２は、ＲＦ信号と光信号との両方を送信および／または受信するように構成され得る。送信／受信エレメント１２２が、ワイヤレス信号の任意の組合せを送信および／または受信するように構成され得ることを諒解されよう。
【００２４】
送信／受信エレメント１２２が単一の要素として図１Ｂに示されているが、ＷＴＲＵ１０２は任意の数の送信／受信エレメント１２２を含み得る。より詳細には、ＷＴＲＵ１０２は、ＭＩＭＯ技術を採用し得る。したがって、一実施形態において、ＷＴＲＵ１０２は、エアインターフェース１１６を介して、ワイヤレス信号を送信するおよび受信するために２つ以上の送信／受信エレメント１２２（たとえば、複数のアンテナ）を含むことがあり得る。
【００２５】
トランシーバー１２０は、送信／受信エレメント１２２によって送信されるべきである信号を変調し、送信／受信エレメント１２２によって受信された信号を復調するように構成され得る。上記のように、ＷＴＲＵ１０２は、マルチモード能力を有し得る。したがって、トランシーバー１２０は、ＷＴＲＵ１０２が、たとえば、ＮＲおよびＩＥＥＥ８０２．１１などの複数のＲＡＴを介して通信することを可能にするための複数のトランシーバーを含み得る。
【００２６】
それは、図１Ｂに図示されないが、トランシーバー１２０は、プロセッサー１１８および送信／受信エレメント１２２に動作可能に結合されたメイントランシーバー（またはプライマリーコネクティビティ無線）と２次トランシーバー（またはウェイクアップ無線のトランシーバー）とを備え得る。
【００２７】
ＷＴＲＵ１０２のプロセッサー１１８は、スピーカー／マイクロフォン１２４、キーパッド１２６、および／またはディスプレイ／タッチパッド１２８（たとえば、液晶ディスプレイ（ＬＣＤ）ディスプレイユニットまたは有機発光ダイオード（ＯＬＥＤ）ディスプレイユニット）に結合され得、それらからユーザー入力データを受信し得る。プロセッサー１１８はまた、スピーカー／マイクロフォン１２４、キーパッド１２６、および／またはディスプレイ／タッチパッド１２８にユーザデータを出力し得る。さらに、プロセッサー１１８は、取り外しできないメモリー１３０および／または取り外し可能なメモリー１３２などの任意のタイプの好適なメモリーから情報にアクセスし、それの中にデータを記憶し得る。取り外しできないメモリー１３０は、ランダムアクセスメモリー（ＲＡＭ）、読取り専用メモリー（ＲＯＭ）、ハードディスク、または他のタイプのメモリーストレージデバイスを含み得る。取り外し可能なメモリー１３２は、加入者識別モジュール（ＳＩＭ）カード、メモリースティック、セキュアデジタル（ＳＤ）メモリーカードなどを含み得る。他の実施形態では、プロセッサー１１８は、サーバまたはホームコンピュータ（図示せず）上など、ＷＴＲＵ１０２上に物理的に位置しないメモリーからの情報にアクセスし、その中にデータを記憶し得る。
【００２８】
プロセッサー１１８は、電源１３４から電力を受電し得、ＷＴＲＵ１０２中の他の構成要素に電力を分散および／または制御するように構成され得る。電源１３４は、ＷＴＲＵ１０２に電力供給するための任意の好適なデバイスであり得る。たとえば、電源１３４は、１つまたは複数の乾電池バッテリ（たとえば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、燃料電池などを含み得る。
【００２９】
プロセッサー１１８はまた、ＷＴＲＵ１０２の現在のロケーションに関するロケーション情報（たとえば、経度および緯度）を与えるように構成され得るＧＰＳチップセット１３６に結合され得る。ＧＰＳチップセット１３６からの情報に加えてまたは代えて、ＷＴＲＵ１０２は、基地局（たとえば、基地局１１４ａ、１１４ｂ）からエアインターフェース１１６を介してロケーション情報を受信し、および／または２つ以上の近くの基地局から受信している信号のタイミングに基づいてそれのロケーションを決定し得る。ＷＴＲＵ１０２が、実施形態に一致したままでありながら、任意の好適なロケーション決定方法によってロケーション情報を捕捉し得ることを諒解されよう。
【００３０】
プロセッサー１１８は、追加の特徴、機能および／または有線もしくはワイヤレス接続性を与える１つまたは複数のソフトウェアおよび／またはハードウェアモジュールを含み得る他のペリフェラル１３８にさらに結合され得る。たとえば、ペリフェラル１３８は、加速度計、ｅコンパス、衛星トランシーバー、（写真および／またはビデオのための）デジタルカメラ、ユニバーサルシリアルバス（ＵＳＢ）ポート、振動デバイス、テレビジョントランシーバー、ハンズフリーヘッドセット、Ｂｌｕｅｔｏｏｔｈ（登録商標）モジュール、周波数変調（ＦＭ）無線ユニット、デジタル音楽プレーヤ、メディアプレーヤ、ビデオゲームプレーヤモジュール、インターネットブラウザ、バーチャルリアリティおよび／または拡張現実（ＶＲ／ＡＲ）デバイス、アクティビティトラッカなどを含み得る。ペリフェラル１３８は、１つまたは複数のセンサを含み得、センサは、ジャイロスコープ、加速度計、ホール効果センサ、磁力計、向きセンサ、近接センサ、温度センサ、時間センサ、ジオロケーションセンサ、高度計、光センサ、タッチセンサ、磁力計、気圧計、ジェスチャセンサ、生体センサ、および／または湿度センサのうちの１つまたは複数であり得る。
【００３１】
ＷＴＲＵ１０２は、（（たとえば、送信のための）ＵＬと（たとえば、受信のための）ダウンリンクとの両方のための特定のサブフレームに関連する）信号の一部または全部の送信および受信が並列および／または同時であり得る全二重無線を含み得る。全二重無線は、ハードウェア（たとえば、チョーク）またはプロセッサー（たとえば、別個のプロセッサー（図示せず）またはビアプロセッサー１１８）を介した信号処理のいずれかを介して自己干渉を小さくするかまたは実質的になくすために干渉管理ユニット１３９を含み得る。一実施形態では、ＷＴＲＵ１０２は、フイッチ（（たとえば、送信のための）ＵＬまたは（たとえば、受信のための）ダウンリンクのいずれかのための特定のサブフレームに関連する）信号の一部または全部の送信および受信のための半二重無線を含み得る。
【００３２】
図１Ｃは、一実施形態による、ＲＡＮ１０４およびＣＮ１０６を示すシステム図である。上記のように、ＲＡＮ１０４は、エアインターフェース１１６を介してＷＴＲＵ１０２ａ、１０２ｂ、１０２ｃと通信するためにＥ−ＵＴＲＡ無線技術を採用し得る。ＲＡＮ１０４はまた、ＣＮ１０６と通信していることがある。
【００３３】
ＲＡＮ１０４は、ｅノードＢ１６０ａ、１６０ｂ、１６０ｃを含み得るが、ＲＡＮ１０４が、実施形態に一致したままでありながら、任意の数のｅノードＢを含み得ることを諒解されよう。ｅノードＢ１６０ａ、１６０ｂ、１６０ｃはそれぞれ、エアインターフェース１１６を介してＷＴＲＵ１０２ａ、１０２ｂ、１０２ｃと通信するための１つまたは複数のトランシーバーを含み得る。一実施形態では、ｅノードＢ１６０ａ、１６０ｂ、１６０ｃは、ＭＩＭＯ技術を実装し得る。したがって、ｅノードＢ１６０ａは、たとえば、ＷＴＲＵ１０２ａにワイヤレス信号を送信するおよび／またはそれからワイヤレス信号を受信するために複数のアンテナを使用し得る。
【００３４】
ｅノードＢ１６０ａ、１６０ｂ、１６０ｃの各々は、特定のセル（図示せず）に関連付けられ得、無線リソース管理決定、ハンドオーバ決定、ＵＬおよび／またはＤＬにおけるユーザーのスケジューリングなどを扱うように構成され得る。図１Ｃに示すように、ｅノードＢ１６０ａ、１６０ｂ、１６０ｃは、Ｘ２インターフェースを介して互いと通信し得る。
【００３５】
図１Ｃに示すＣＮ１０６は、モビリティ管理エンティティ（ＭＭＥ）１６２と、サービングゲートウェイ（ＳＧＷ）１６４と、パケットデータネットワーク（ＰＤＮ）ゲートウェイ（またはＰＧＷ）１６６とを含み得る。上記の要素の各々がＣＮ１０６の一部として示されているが、これらの要素のいずれかがＣＮオペレータ以外のエンティティによって所有および／または動作され得ることを諒解されよう。
【００３６】
ＭＭＥ１６２は、Ｓ１インターフェースを介してＲＡＮ１０４中のｅノードＢ１６２ａ、１６２ｂ、１６２ｃの各々に接続され得、制御ノードとして働き得る。たとえば、ＭＭＥ１６２は、ＷＴＲＵ１０２ａ、１０２ｂ、１０２ｃのユーザーを認証すること、ベアラのアクティブ化／非アクティブ化、ＷＴＲＵ１０２ａ、１０２ｂ、１０２ｃの初期アタッチ（initial attach）中に特定のサービングゲートウェイを選択することなどを担当し得る。ＭＭＥ１６２は、ＲＡＮ１０４とＧＳＭおよび／またはＷＣＤＭＡなどの他の無線技術を採用する他のＲＡＮ（図示せず）との間で切り替えるための制御プレーン機能を与え得る。
【００３７】
ＳＧＷ１６４は、Ｓ１インターフェースを介してＲＡＮ１０４中のｅノードＢ１６０ａ、１６０ｂ、１６０ｃの各々に接続され得る。ＳＧＷ１６４は、概して、ＷＴＲＵ１０２ａ、１０２ｂ、１０２ｃとの間でユーザデータパケットをルーティングおよび転送し得る。ＳＧＷ１６４は、ｅノードＢ間のハンドオーバ中にユーザプレーンをアンカリングすること、ＤＬデータがＷＴＲＵ１０２ａ、１０２ｂ、１０２ｃのために利用可能であるときにページングをトリガーすること、ＷＴＲＵ１０２ａ、１０２ｂ、１０２ｃのコンテキストを管理および記憶することなどの他の機能を実行し得る。
【００３８】
ＳＧＷ１６４は、ＷＴＲＵ１０２ａ、１０２ｂ、１０２ｃとＩＰ対応デバイスとの間の通信を容易にするためにインターネット１１０などのパケット交換ネットワークへのアクセスをＷＴＲＵ１０２ａ、１０２ｂ、１０２ｃに与え得るＰＧＷ１６６に接続され得る。
【００３９】
ＣＮ１０６は、他のネットワークとの通信を容易にし得る。たとえば、ＣＮ１０６は、ＷＴＲＵ１０２ａ、１０２ｂ、１０２ｃと従来の固定通信デバイスとの間の通信を容易にするためにＰＳＴＮ１０８などの回線交換ネットワークへのアクセスをＷＴＲＵ１０２ａ、１０２ｂ、１０２ｃに与え得る。たとえば、ＣＮ１０６は、ＣＮ１０６とＰＳＴＮ１０８との間のインターフェースとして働くＩＰゲートウェイ（たとえば、ＩＰマルチメディアサブシステム（ＩＭＳ）サーバ）を含み得るかまたはそれと通信し得る。さらに、ＣＮ１０６は、他のサービスプロバイダによって所有および／または動作される他の有線および／またはワイヤレスネットワークを含み得る他のネットワーク１１２へのアクセスをＷＴＲＵ１０２ａ、１０２ｂ、１０２ｃに与え得る。
【００４０】
ＷＴＲＵがワイヤレス端末として図１Ａ〜図１Ｄに説明されるが、上記の端末が（たとえば、一時的にまたは永続的に）使用することがあり得るある代表的な実施形態において、有線通信は、通信ネットワークとインターフェースをとることが予想される。
【００４１】
代表的な実施形態では、他のネットワーク１１２は、ＷＬＡＮであり得る。
【００４２】
インフラストラクチャ基本サービスセット（ＢＳＳ）モードのＷＬＡＮは、ＢＳＳのためのアクセスポイント（ＡＰ）とＡＰに関連する１つまたは複数の局（ＳＴＡ）とを有し得る。ＡＰは、配信システム（ＤＳ）またはＢＳＳを出入りするトラフィックを搬送する別のタイプの有線／ワイヤレスネットワークへのアクセスまたはインターフェースを有し得る。ＢＳＳの外部から発信するＳＴＡへのトラフィックは、ＡＰを通して到着し得、ＳＴＡに送出され得る。ＢＳＳ外の宛先にＳＴＡから発信されたトラフィックは、それぞれの宛先に配信されるためにＡＰに送られ得る。ＢＳＳ内のＳＴＡ間のトラフィックは、ＡＰを通して送られることがあり、たとえば、ここで、ソースＳＴＡはＡＰにトラフィックを送り得、ＡＰは、宛先ＳＴＡにトラフィックを送出し得る。ＢＳＳ内のＳＴＡ間のトラフィックは、ピアツーピアトラフィックと考慮され、および／またはそう呼ばれることがある。ピアツーピアトラフィックは、ダイレクトリンクセットアップ（ＤＬＳ）を用いてソースＳＴＡと宛先ＳＴＡとの間で（たとえば、それらの間で直接）送られ得る。ある代表的な実施形態において、ＤＬＳは、８０２．１１ｅのＤＬＳまたは８０２．１１ｚのＴＤＬＳ（tunneled DLS；トンネリングされたＤＬＳ）を使用することがあり得る。独立ＢＳＳ（ＩＢＳＳ）モードを使用するＷＬＡＮはＡＰを有しないことがあり、ＩＢＳＳ内のまたはそれを使用するＳＴＡ（たとえば、ＳＴＡのすべて）は互いに直接通信し得る。ＩＢＳＳ通信モードは、本明細書では「アドホック」通信モードと呼ばれる場合がある。
【００４３】
８０２．１１ａｃインフラストラクチャ動作モードまたは同様の動作モードを使用するとき、ＡＰは、１次チャネルなどの固定チャネル上でビーコンを送信し得る。１次チャネルは、固定幅（たとえば、２０ＭＨｚ幅の帯域幅）であるか、またはシグナリングを介して動的に設定された幅であり得る。１次チャネルは、ＢＳＳの動作チャネルであり得、ＡＰとの接続を確立するためにＳＴＡによって使用され得る。ある代表的な実施形態において、ＣＳＭＡ／ＣＡ（搬送波感知多重アクセス／衝突回避）が、たとえば、８０２．１１のシステム中に実装されることがあり得る。ＣＳＭＡ／ＣＡでは、ＡＰを含むＳＴＡ（たとえば、あらゆるＳＴＡ）が１次チャネルを検知し得る。１次チャネルが特定のＳＴＡによって検知／検出されるおよび／またはビジーであると決定される場合、特定のＳＴＡはオフに戻り得る。１つのＳＴＡ（たとえば、ただ１つの局）が、所与のＢＳＳ中で所与の時間に送信し得る。
【００４４】
高スループット（ＨＴ）のＳＴＡは、４０ＭＨｚ幅のチャネルを形成するために、たとえば、隣接するまたは隣接していない２０ＭＨｚのチャネルとの１次の２０ＭＨｚのチャネルの組合せを介した通信のために４０ＭＨｚ幅のチャネルを使用し得る。
【００４５】
極高スループット（ＶＨＴ）のＳＴＡは、２０ＭＨｚ、４０ＭＨｚ、８０ＭＨｚ、および／または１６０ＭＨｚ幅のチャネルをサポートし得る。４０ＭＨｚおよび／または８０ＭＨｚのチャネルは、連続する２０ＭＨｚのチャネルを組み合わせることによって形成され得る。１６０ＭＨｚのチャネルは、８つの連続する２０ＭＨｚのチャネルを組み合わせることによって、または８０＋８０構成と呼ばれることがある２つの不連続の８０ＭＨｚのチャネルを組み合わせることによって形成され得る。８０＋８０構成では、データは、チャネル符号化後に、２つのストリームにデータを分割し得るセグメントパーサを通してパスされ得る。逆高速フーリエ変換（ＩＦＦＴ）処理と時間領域処理とが別々に各ストリームに対して行われ得る。ストリームは、２つの８０ＭＨｚのチャネル上にマッピングされ得、データは、送信ＳＴＡによって送信され得る。受信ＳＴＡレシーバーでは、８０＋８０構成について上記で説明した動作が逆行され得、組み合わされたデータがメディアアクセス制御（ＭＡＣ）に送られ得る。
【００４６】
８０２．１１ａｆおよび８０２．１１ａｈによってサブ１ＧＨｚ動作モードがサポートされる。チャネル動作帯域幅およびキャリアは、８０２．１１ｎおよび８０２．１１ａｃで使用されるものと比較して８０２．１１ａｆおよび８０２．１１ａｈでは低減される。８０２．１１ａｆは、ＴＶホワイトスペース（ＴＶＷＳ）スペクトル中の５ＭＨｚ、１０ＭＨｚ、および２０ＭＨｚの帯域幅をサポートし、８０２．１１ａｈは、非ＴＶＷＳスペクトルを使用して１ＭＨｚ、２ＭＨｚ、４ＭＨｚ、８ＭＨｚ、および１６ＭＨｚの帯域幅をサポートする。代表的な実施形態によれば、８０２．１１ａｈは、マクロカバレージエリア中のＭＴＣデバイスなどのメータ型制御／マシン型通信をサポートし得る。ＭＴＣデバイスは、ある能力、たとえば、ある帯域幅および／または制限された帯域幅に対するサポート（たとえば、に対するサポートのみ）を含む制限された能力を有することがあり得る。ＭＴＣデバイスは、（たとえば、非常に長いバッテリ寿命を維持するために）しきい値を上回るバッテリ寿命をもつバッテリを含み得る。
【００４７】
８０２．１１ｎ、８０２．１１ａｃ、８０２．１１ａｆ、および８０２．１１ａｈなどの複数のチャネルおよびチャネル帯域幅をサポートし得るＷＬＡＮシステムは、１次チャネルとして指定され得るチャネルを含む。１次チャネルは、ＢＳＳ中のすべてのＳＴＡによってサポートされる最大の共通動作帯域幅に等しい帯域幅を有し得る。１次チャネルの帯域幅は、ＢＳＳ中で動作するすべてのＳＴＡの中から、最小の帯域幅動作モードをサポートするＳＴＡによって設定および／または限定され得る。８０２．１１ａｈの例では、ＡＰおよびＢＳＳ中の他のＳＴＡが、２ＭＨｚ、４ＭＨｚ、８ＭＨｚ、１６ＭＨｚ、および／または他のチャネル帯域幅動作モードをサポートする場合でも、１次チャネルは、１ＭＨｚモードをサポートする（たとえば、それだけをサポートする）ＳＴＡ（たとえば、ＭＴＣタイプのデバイス）について１ＭＨｚ幅であり得る。キャリア検知および／またはＮＡＶ（Network Allocation Vector）の設定は、１次チャネルのステータスに依存し得る。たとえば（１ＭＨｚ動作モードだけをサポートする）ＳＴＡのために１次チャネルがビジーである場合、周波数帯域の大部分がアイドルのままであり、利用可能であり得る場合であっても、ＡＰに利用可能な周波数帯域全体を送信することがビジーであると見なされ得る。
【００４８】
米国では、８０２．１１ａｈによって使用され得る利用可能な周波数帯域は、９０２ＭＨｚから９２８ＭＨｚである。韓国では、利用可能な周波数帯域は、９１７．５ＭＨｚから９２３．５ＭＨｚである。日本では、利用可能な周波数帯域は、９１６．５ＭＨｚから９２７．５ＭＨｚである。８０２．１１ａｈのために利用可能な総帯域幅は、国コードに応じて６ＭＨｚから２６ＭＨｚである。
【００４９】
図１Ｄは、一実施形態による、ＲＡＮ１１３およびＣＮ１１５を示すシステム図である。上記のように、ＲＡＮ１１３は、エアインターフェース１１６を介してＷＴＲＵ１０２ａ、１０２ｂ、１０２ｃと通信するためにＮＲ無線技術を採用し得る。ＲＡＮ１１３はまた、ＣＮ１１５と通信していることがある。
【００５０】
ＲＡＮ１１３は、ｇＮＢ１８０ａ、１８０ｂ、１８０ｃを含み得るが、ＲＡＮ１１３が、実施形態に一致したままでありながら、任意の数のｇＮＢを含み得ることを諒解されよう。ｇＮＢ１８０ａ、１８０ｂ、１８０ｃはそれぞれ、エアインターフェース１１６を介してＷＴＲＵ１０２ａ、１０２ｂ、１０２ｃと通信するための１つまたは複数のトランシーバーを含み得る。一実施形態では、ｇＮＢ１８０ａ、１８０ｂ、１８０ｃは、ＭＩＭＯ技術を実装し得る。たとえば、ｇＮＢ１８０ａ、１０８ｂは、ｇＮＢ１８０ａ、１８０ｂ、１８０ｃに信号を送信し、および／またはそれから信号を受信するためにビームフォーミングを利用し得る。したがって、ｇＮＢ１８０ａは、たとえば、ＷＴＲＵ１０２ａにワイヤレス信号を送信し、および／またはそれからワイヤレス信号を受信するために複数のアンテナを使用し得る。一実施形態では、ｇＮＢ１８０ａ、１８０ｂ、１８０ｃは、キャリアアグリゲーション技術を実装し得る。たとえば、ｇＮＢ１８０ａは、ＷＴＲＵ１０２ａ（図示せず）に複数のコンポーネントキャリアを送信し得る。これらのコンポーネントキャリアのサブセットは、無認可スペクトル上にあり得るが、残りのコンポーネントキャリアは、認可スペクトル上にあり得る。一実施形態では、ｇＮＢ１８０ａ、１８０ｂ、１８０ｃは、協調マルチポイント（ＣｏＭＰ）技術を実装し得る。たとえば、ＷＴＲＵ１０２ａは、ｇＮＢ１８０ａおよびｇＮＢ１８０ｂ（および／またはｇＮＢ１８０ｃ）から協調送信を受信し得る。
【００５１】
ＷＴＲＵ１０２ａ、１０２ｂ、１０２ｃは、スケーラブルな数秘学に関連する送信を使用してｇＮＢ１８０ａ、１８０ｂ、１８０ｃと通信し得る。たとえば、ＯＦＤＭシンボル間隔および／またはＯＦＤＭサブキャリア間隔は、異なる送信、異なるセル、および／またはワイヤレス送信スペクトルの異なる部分ごとに変動し得る。ＷＴＲＵ１０２ａ、１０２ｂ、１０２ｃは、（たとえば、様々な数のＯＦＤＭシンボルを含んでいるおよび／または変動する長さの絶対時間の間続く）様々なまたはスケーラブルな長さのサブフレームまたは送信時間間隔（ＴＴＩ）を使用してｇＮＢ１８０ａ、１８０ｂ、１８０ｃと通信し得る。
【００５２】
ｇＮＢ１８０ａ、１８０ｂ、１８０ｃは、スタンドアロン構成および／または非スタンドアロン構成中のＷＴＲＵ１０２ａ、１０２ｂ、１０２ｃと通信するように構成され得る。スタンドアロン構成では、ＷＴＲＵ１０２ａ、１０２ｂ、１０２ｃは、他のＲＡＮ（たとえば、ｅノードＢ１６０ａ、１６０ｂ、１６０ｃなど）にアクセスすることもなしにｇＮＢ１８０ａ、１８０ｂ、１８０ｃと通信し得る。スタンドアロン構成では、ＷＴＲＵ１０２ａ、１０２ｂ、１０２ｃは、モビリティアンカーポイントとしてｇＮＢ１８０ａ、１８０ｂ、１８０ｃのうちの１つまたは複数を利用し得る。スタンドアロン構成では、ＷＴＲＵ１０２ａ、１０２ｂ、１０２ｃは、無認可帯域中の信号を使用してｇＮＢ１８０ａ、１８０ｂ、１８０ｃと通信し得る。非スタンドアロン構成では、ＷＴＲＵ１０２ａ、１０２ｂ、１０２ｃは、ｅノードＢ１６０ａ、１６０ｂ、１６０ｃなどの別のＲＡＮとも通信しながら／それにも接続しながらｇＮＢ１８０ａ、１８０ｂ、１８０ｃと通信し得る／それに接続し得る。たとえば、ＷＴＲＵ１０２ａ、１０２ｂ、１０２ｃは、１つまたは複数のｇＮＢ１８０ａ、１８０ｂ、１８０ｃおよび１つまたは複数のｅノードＢ１６０ａ、１６０ｂ、１６０ｃと実質的に同時に通信するためにＤＣ原理を実装し得る。非スタンドアロン構成では、ｅノードＢ１６０ａ、１６０ｂ、１６０ｃは、ＷＴＲＵ１０２ａ、１０２ｂ、１０２ｃのためのモビリティアンカーとして働き得、ｇＮＢ１８０ａ、１８０ｂ、１８０ｃは、ＷＴＲＵ１０２ａ、１０２ｂ、１０２ｃをサービスするための追加のカバレージおよび／またはスループットを与え得る。
【００５３】
ｇＮＢ１８０ａ、１８０ｂ、１８０ｃの各々は、特定のセル（図示せず）に関連付けられ得、無線リソース管理の決定、ハンドオーバの決定、ＵＬおよび／またはＤＬにおけるユーザーのスケジューリング、ネットワークスライシングのサポート、デュアル接続性、ＮＲとＥ−ＵＴＲＡとの間の相互接続、ユーザプレーン機能（ＵＰＦ）１８４ａ、１８４ｂに向けたユーザプレーンデータのルーティング、アクセスおよびモビリティ管理機能（ＡＭＦ）１８２ａ、１８２ｂに向けた制御プレーン情報のルーティングなどを扱うように構成され得る。図１Ｄに示すように、ｇＮＢ１８０ａ、１８０ｂ、１８０ｃは、Ｘｎインターフェースを介して互いと通信し得る。
【００５４】
図１Ｄに示すＣＮ１１５は、少なくとも１つのＡＭＦ１８２ａ、１８２ｂと、少なくとも１つのＵＰＦ１８４ａ、１８４ｂと、少なくとも１つのセッション管理機能（ＳＭＦ）１８３ａ、１８３ｂと、場合によっては、データネットワーク（ＤＮ）１８５ａ、１８５ｂとを含み得る。上記の要素の各々がＣＮ１１５の一部として示されているが、これらの要素のいずれかがＣＮオペレータ以外のエンティティによって所有および／または動作され得ることを諒解されよう。
【００５５】
ＡＭＦ１８２ａ、１８２ｂは、Ｎ２インターフェースを介してＲＡＮ１１３中のｇＮＢ１８０ａ、１８０ｂ、１８０ｃのうちの１つまたは複数に接続され得、制御ノードとして働き得る。たとえば、ＡＭＦ１８２ａ、１８２ｂは、ＷＴＲＵ１０２ａ、１０２ｂ、１０２ｃのユーザーを認証すること、ネットワークスライシング（たとえば、異なる要件をもつ異なるＰＤＵセッションの扱い）のサポート、特定のＳＭＦ１８３ａ、１８３ｂを選択すること、登録エリアの管理、ＮＡＳシグナリングの終了、モビリティ管理などを担当し得る。ネットワークスライシングは、利用されたＷＴＲＵ１０２ａ、１０２ｂ、１０２ｃであるサービスのタイプに基づいてＷＴＲＵ１０２ａ、１０２ｂ、１０２ｃのＣＮのサポートをカスタマイズするために、ＡＭＦ１８２ａ、１８２ｂによって使用され得る。たとえば、異なるネットワークスライスは、高信頼低遅延（ＵＲＬＬＣ）アクセスに依拠するサービス、拡張大規模モバイルブロードバンド（ｅＭＢＢ）アクセスに依拠するサービス、マシン型通信（ＭＴＣ）アクセスのサービスなどの異なる使用事例のために確立され得る。ＡＭＦ１６２は、ＲＡＮ１１３とＬＴＥ、ＬＴＥ−Ａ、ＬＴＥ−Ａ  Ｐｒｏ、および／またはＷｉＦｉなどの非３ＧＰＰアクセス技術などの他の無線技術を採用する他のＲＡＮ（図示せず）との間で切り替えるための制御プレーン機能を与え得る。
【００５６】
ＳＭＦ１８３ａ、１８３ｂは、Ｎ１１インターフェースを介してＣＮ１１５中のＡＭＦ１８２ａ、１８２ｂに接続され得る。ＳＭＦ１８３ａ、１８３ｂはまた、Ｎ４インターフェースを介してＣＮ１１５中のＵＰＦ１８４ａ、１８４ｂに接続され得る。ＳＭＦ１８３ａ、１８３ｂは、ＵＰＦ１８４ａ、１８４ｂを選択および制御し、ＵＰＦ１８４ａ、１８４ｂを通してトラフィックのルーティングを構成し得る。ＳＭＦ１８３ａ、１８３ｂは、ＵＥのＩＰアドレスを管理し、割り振ること、ＰＤＵセッションを管理すること、ポリシーの実施およびＱｏＳを制御すること、ダウンリンクデータの通知を与えることなどの他の機能を実行し得る。ＰＤＵセッションのタイプは、ＩＰベースのもの、非ＩＰベースのもの、イーサネットベースのものなどであり得る。
【００５７】
ＵＰＦ１８４ａ、１８４ｂは、ＷＴＲＵ１０２ａ、１０２ｂ、１０２ｃとＩＰ対応デバイスとの間の通信を容易にするためにインターネット１１０などのパケット交換ネットワークへのアクセスをＷＴＲＵ１０２ａ、１０２ｂ、１０２ｃに与え得るＮ３インターフェースを介してＲＡＮ１１３中のｇＮＢ１８０ａ、１８０ｂ、１８０ｃのうちの１つまたは複数に接続され得る。ＵＰＦ１８４、１８４ｂは、パケットをルーティングおよび転送すること、ユーザプレーンのポリシーを強制すること、マルチホームＰＤＵセッションをサポートすること、ユーザプレーンＱｏＳを扱うこと、ダウンリンクパケットをバッファリングすること、モビリティアンカリングを与えることなどの他の機能を実行し得る。
【００５８】
ＣＮ１１５は、他のネットワークとの通信を容易にし得る。たとえば、ＣＮ１１５は、ＣＮ１１５とＰＳＴＮ１０８との間のインターフェースとして働くＩＰゲートウェイ（たとえば、ＩＰマルチメディアサブシステム（ＩＭＳ）サーバ）を含み得るかまたはそれと通信し得る。さらに、ＣＮ１１５は、他のサービスプロバイダによって所有および／または動作される他の有線および／またはワイヤレスネットワークを含み得る他のネットワーク１１２へのアクセスをＷＴＲＵ１０２ａ、１０２ｂ、１０２ｃに与え得る。一実施形態では、ＷＴＲＵ１０２ａ、１０２ｂ、１０２ｃは、ＵＰＦ１８４ａ、１８４ｂへのＮ３インターフェースとＵＰＦ１８４ａ、１８４ｂとＤＮ１８５ａ、１８５ｂとの間のＮ６インターフェースとを介してＵＰＦ１８４ａ、１８４ｂを通してローカルデータネットワーク（ＤＮ）１８５ａ、１８５ｂに接続され得る。
【００５９】
図１Ａ〜図１Ｄおよび図１Ａ〜図１Ｄの対応する説明に鑑みて、ＷＴＲＵ１０２ａ〜ｄ、基地局１１４ａ〜ｂ、ｅノードＢ１６０ａ〜ｃ、ＭＭＥ１６２、ＳＧＷ１６４、ＰＧＷ１６６、ｇＮＢ１８０ａ〜ｃ、ＡＭＦ１８２ａ〜ａｂ、ＵＰＦ１８４ａ〜ｂ、ＳＭＦ１８３ａ〜ｂ、ＤＮ１８５ａ〜ｂ、および／または本明細書で説明する任意の他のデバイスのうちの１つまたは複数に関して本明細書で説明する機能のうちの１つもしくは複数またはすべては、１つまたは複数のエミュレーションデバイス（図示せず）によって実行され得る。エミュレーションデバイスは、本明細書で説明する機能のうちの１つもしくは複数またはすべてをエミュレートするように構成された１つまたは複数のデバイスであり得る。たとえば、エミュレーションデバイスは、他のデバイスをテストする、ならびに／またはネットワークおよび／もしくはＷＴＲＵ機能をシミュレートするために使用され得る。
【００６０】
エミュレーションデバイスは、ラボ環境でおよび／またはオペレータネットワーク環境で他のデバイスの１つまたは複数のテストを実施するように設計され得る。たとえば、１つまたは複数のエミュレーションデバイスは、通信ネットワーク内の他のデバイスをテストするために有線および／またはワイヤレス通信ネットワークの一部として完全にまたは部分的に実装および／または展開されながら、１つもしくは複数またはすべての機能を実行し得る。１つまたは複数のエミュレーションデバイスは、有線および／またはワイヤレス通信ネットワークの一部として一時的に実装／展開されながら、１つもしくは複数またはすべての機能を実行し得る。エミュレーションデバイスは、テストを実行する目的のために別のデバイスに直接結合されることがあり得る、および／またはオーバージエア（over-the-air）のワイヤレス通信を使用してテストすることを行うことがあり得る。
【００６１】
インフラストラクチャ基本サービスセット（ＢＳＳ）モードのＷＬＡＮは、ＢＳＳのためのアクセスポイント（ＡＰ）とＡＰに関連する１つまたは複数の局（ＳＴＡ）とを有する。ＡＰは、本明細書で説明されるように基地局と交換可能であり得る。また、ＳＴＡは、本明細書で説明されるようにＷＴＲＵと交換可能であり得る。ＡＰは、一般に、配信システム（ＤＳ）またはＢＳＳを出入りするトラフィックを搬送する別のタイプの有線／ワイヤレスネットワークへのアクセスまたはインターフェースを有する。ＢＳＳの外部から発信するＳＴＡへのトラフィックは、ＡＰを通して到着し、ＳＴＡに送出される。ＢＳＳ外の宛先にＳＴＡから発信されたトラフィックは、それぞれの宛先に送出されるためにＡＰに送られる。ＢＳＳ内のＳＴＡ間のトラフィックはまた、ＡＰを通して送られ得、ここで、ソースＳＴＡはＡＰにトラフィックを送り、ＡＰは、宛先ＳＴＡにトラフィックを送出する。ＢＳＳ内におけるＳＴＡ間の上記のトラフィックは、ピアツーピアのトラフィックと考えられることがあり得る。さらに、上記のピアツーピアトラフィックは、８０２．１１ｅダイレクトリンクセットアップ（ＤＬＳ）または８０２．１１ｚトンネリングされたＤＬＳ（ＴＤＬＳ）を使用するＤＬＳを用いてソースＳＴＡと宛先ＳＴＡとの間で直接送られることもあり得る。独立ＢＳＳ（ＩＢＳＳ）モードを使用するＷＬＡＮは、ＡＰおよび／またはＳＴＡを有さず、互いに直接通信する。この通信モードは、「アドホック」通信モードと呼ばれる。
【００６２】
８０２．１１ａｃインフラストラクチャ動作モードを使用して、ＡＰは、固定チャネル、通常は、１次チャネル上でビーコンを送信し得る。このチャネルは、２０ＭＨｚ幅であり得、ＢＳＳの動作チャネルであり得る。このチャネルはまた、ＡＰとの接続を確立するためにＳＴＡによって使用され得る。８０２．１１システム中の基本チャネルアクセス機構は、搬送波感知多重アクセス／衝突回避（ＣＳＭＡ／ＣＡ）であり得る。この動作モードでは、ＡＰを含むあらゆるＳＴＡが１次チャネルを検知することになる。チャネルがビジーであることが検出される場合、ＳＴＡはオフに戻る。したがって、ただ１つのＳＴＡが、所与のＢＳＳ中で所与の時間に送信し得る。
【００６３】
８０２．１１ｎでは、高スループット（ＨＴ）のＳＴＡはまた、通信のために４０ＭＨｚ幅のチャネルを使用し得る。これは、１次の２０ＭＨｚのチャネルを隣接する２０ＭＨｚのチャネルと組み合わせて４０ＭＨｚ幅の連続するチャネルを形成することによって達成される。
【００６４】
８０２．１１ａｃでは、極高スループット（ＶＨＴ）のＳＴＡは、２０ＭＨｚ、４０ＭＨｚ、８０ＭＨｚ、および１６０ＭＨｚ幅のチャネルをサポートし得る。４０ＭＨｚおよび８０ＭＨｚのチャネルは、上記で説明された８０２．１１ｎと同様の連続する２０ＭＨｚのチャネルを組み合わせることによって形成される。１６０ＭＨｚのチャネルは、８つの連続する２０ＭＨｚのチャネルを組み合わせることによって、または２つの不連続の８０ＭＨｚのチャネルを組み合わせることによって形成され得、これは８０＋８０構成と呼ばれることもある。８０＋８０構成では、データは、チャネル符号化後に、２つのストリームにそれを分割するセグメントパーサを通してパスされ得る。ＩＦＦＴ処理と時間領域処理とが別々に各ストリームに対して行われ得る。ストリームは、次いで、２つのチャネル上にマッピングされ得、データが送信される。レシーバーにおいて、このプロセスは逆行され、組み合わされたデータは、ＭＡＣに送られ得る。
【００６５】
８０２．１１ａｆおよび８０２．１１ａｈによってサブ１ＧＨｚ動作モードがサポートされ得る。これらの仕様では、チャネル動作帯域幅およびキャリアは、８０２．１１ｎおよび８０２．１１ａｃで使用されるものと比較して低減され得る。８０２．１１ａｆは、ＴＶホワイトスペース（ＴＶＷＳ）スペクトル中の５ＭＨｚ、１０ＭＨｚ、および２０ＭＨｚの帯域幅をサポートし得、８０２．１１ａｈは、非ＴＶＷＳスペクトルを使用して１ＭＨｚ、２ＭＨｚ、４ＭＨｚ、８ＭＨｚ、および１６ＭＨｚの帯域幅をサポートし得る。８０２．１１ａｈの可能な使用事例は、マクロカバレージエリアにおけるマシン型制御（ＭＴＣ）デバイスのサポートである。ＭＴＣデバイスは、限定された帯域幅しかサポートしないことを含む限定された能力しか有しないが、非常に長いバッテリ寿命の要件をも含み得る。
【００６６】
８０２．１１ｎ、８０２．１１ａｃ、８０２．１１ａｆ、および８０２．１１ａｈなどの複数のチャネルおよびチャネル幅をサポートするＷＬＡＮシステムは、１次チャネルとして指定されるチャネルを含む。１次チャネルは、必ずしもそうではないが、ＢＳＳ中のすべてのＳＴＡによってサポートされる最大の共通動作帯域幅に等しい帯域幅を有し得る。したがって、１次チャネルの帯域幅は、ＢＳＳ中で動作するすべてのＳＴＡの中の、最小の帯域幅動作モードをサポートするＳＴＡによって限定される。８０２．１１ａｈの例では、ＡＰおよびＢＳＳ中の他のＳＴＡが、２ＭＨｚ、４ＭＨｚ、８ＭＨｚ、１６ＭＨｚ、または他のチャネル帯域幅動作モードをサポートし得る場合でも、１ＭＨｚモードしかサポートしないＳＴＡ（たとえば、ＭＴＣタイプのデバイス）がある場合、１次チャネルは、１ＭＨｚ幅であり得る。すべてのキャリア検知およびＮＡＶ設定は、１次チャネルのステータスに依存する、（すなわち、たとえば、１ＭＨｚの動作モードしかサポートしないＳＴＡがＡＰに送信しているために１次チャネルがビジーである場合、利用可能な周波数帯域全体は、それの大部分がアイドルのままであり、利用可能である場合でもビジーであると考慮される）。
【００６７】
米国では、８０２．１１ａｈによって使用され得る利用可能な周波数帯域は、９０２ＭＨｚから９２８ＭＨｚである。韓国では、それは、９１７．５ＭＨｚから９２３．５ＭＨｚであり、日本では、それは、９１６．５ＭＨｚから９２７．５ＭＨｚである。８０２．１１ａｈのために利用可能な総帯域幅は、国コードに応じて６ＭＨｚから２６ＭＨｚである。
【００６８】
ＩＥＥＥ８０２．１１高効率ＷＬＡＮ（ＨＥＷ）は、２．４ＧＨｚおよび５ＧＨｚ帯域における高密度シナリオを含む多くの使用シナリオにおいて様々なワイヤレスユーザのためのすべてのユーザエクスペリエンスのサービス品質を向上させるように変更され得る。ＡＰおよびＳＴＡの高密度展開および関連する無線リソース管理（ＲＲＭ）技術をサポートする新しい使用事例がＨＥＷを用いて実装され得る。
【００６９】
ＨＥＷは、スタジアムイベントのためのデータ配信などの新生の使用シナリオ、電車の駅などの高ユーザー密度シナリオ、または企業／小売環境に適用され得、ビデオ配信および医療アプリケーションのためのワイヤレスサービスに対する増加した依存にも対処し得る。
【００７０】
いくつかのシナリオでは、様々なアプリケーションのための測定されたトラフィックは、短パケットの可能性を有し得、短パケットをも生成し得るネットワークアプリケーションがあり得る。これらのシナリオは、限定はしないが、仮想オフィス、ＴＰＣ  ＡＣＫ、ビデオストリーミングＡＣＫ、デバイス／コントローラ（たとえば、マウス、キーボード、ゲーム制御など）、アクセス（たとえば、探査要求／応答）、ネットワーク選択（たとえば、探査要求および／もしくはＡＮＱＰ）、ならびに／またはネットワーク管理（たとえば、制御フレーム）を含み得る。８０２．１１ａｘは、アップリンク（ＵＬ）およびダウンリンク（ＤＬ）の直交周波数分割多元接続（ＯＦＤＭＡ）とＵＬおよびＤＬのマルチユーザマルチプルインマルチプルアウト（ＭＵ−ＭＩＭＯ）とを含むマルチユーザ（ＭＵ）特徴を有し得る。異なる目的のためにＵＬランダムアクセスを多重化するための機構を設計し、定義することについて、本明細書で説明され得る。
【００７１】
ＷＵＲ（wake-up radio；ウェイクアップ無線）は、８０２．１１のデバイスの拡張低電力動作を与えるためにプロシージャへのＰＨＹおよびＭＡＣの変更とともに使用され得る。ＭＡＣおよびＰＨＹの変更は、ＷＵＲの動作を可能にし得る。
【００７２】
ＷＵＲは、２．４ＧＨｚ、５ＧＨｚの動作帯域を含み得、サブ１ＧＨｚに拡張され得る。ＷＵＲデバイスは、標準の８０２．１１パケットまたはセルラーパケットを送信するために使用されるプライマリーコネクティビティ無線に対するコンパニオンラジオとして動作し得る。ＷＵＲは、制御情報を搬送するパケットを送信し、１ミリワット（ｍＷ）よりも少ないアクティブレシーバー電力消費量を有し得る。ＷＵＲによってウェイクアップパケットを受信することは、プライマリーコネクティビティ無線をスリープからウェイクアップさせ得る。ＷＵＲは、少なくとも２０ＭＨｚのペイロード帯域幅上で動作するプライマリーコネクティビティ無線の範囲と少なくとも同じである範囲を有すると予想される。ＡＰと非ＡＰのＳＴＡとの両方がコンパニオンラジオとしてＷＵＲを有し得る。ＷＵＲのためのいくつかの使用事例は、限定はしないが、ＩｏＴデバイス、スマートフォンのための低電力動作、クイックメッセージ／着信呼通知シナリオ、クイックステータスクエリ／報告、構成変更シナリオ、および／またはクイック緊急／重要イベント報告シナリオを含む。アクセスポイント（ＡＰ）および基地局（ＢＳ）という用語は、本開示全体にわたって互換的に使用され得る。
【００７３】
ＷＵＲ  ＳＴＡ／ＡＰの再発見は、例えば、ＮＲ（新無線）などの８０２．１１ｂａまたはセルラーネットワークに関連付けられることがあり得り、ＡＰがリセットもしくは置き換えられた後のＡＰによるＳＴＡの再発見に関連付けられた問題、および／またはＳＴＡが、ある時間周期に対してＷＵＲビーコンを検出しＡＰと通信するまたは他のＡＰを発見することができないならばウェイクアップすることがあり得る場合のＳＴＡによるＡＰの再発見に関連付けられた問題に向けられることがあり得る。
【００７４】
本明細書で使用されるＰＣＲ（primary connectivity radio；プライマリーコネクティビティ無線）という用語は、様々なチャネルを介して１つまたは複数の物理レイヤプロトコルデータユニット（ＰＰＤＵ）を送信および受信する能力をもつメイン無線機を指すことがある。ＷＵＲ（wake-up radio；ウェイクアップ無線）という用語は、１つまたは複数のＷＵＲ  ＰＰＤＵを送信または受信する能力をもつＰＣＲに対するコンパニオンラジオを指すことがある。本明細書で使用されるウェイクアップ無線、ウェイクアップ無線レシーバー、ウェイクアップ無線のトランシーバー、ウェイクアップ無線デバイス、コンパニオントランシーバー、コンパニオンレシーバー、コンパニオンラジオ、パッシブレシーバー、パッシブトランシーバー、ゼロエネルギー（ＺＥ）レシーバー、ＺＥトランシーバー、２次トランシーバーという用語またはそれらの任意の組合せは、本開示全体にわたって互換的に使用され得る。プライマリーコネクティビティ無線、１次接続トランシーバー、メインレシーバー、メイントランシーバー、メインモデム、１次トランシーバーという用語またはそれらの任意の組合せは、本開示全体にわたって互換的に使用され得る。本明細書で使用されるＷＵＲ（wake-up radio；ウェイクアップ無線）パケット、ＷＵＲ信号、ＷＵＲフレームという用語、またはそれらの任意の組合せは、本開示全体にわたって互換的に使用され得る。
【００７５】
図２は、１つまたは複数の開示する実施形態が実装され得る例示的なＷＵＲ（wake-up radio；ウェイクアップ無線）システム２００を示す。図２に示されるように、ＷＴＲＵ２０２ａ、２０２ｂ（たとえば、ＩｏＴデバイス）は、ＰＣＲ（primary connectivity radio；プライマリーコネクティビティ無線）２０５、２１５に動作可能に結合されたＷＵＲトランシーバー２１０、２２０を含み得る。ＰＣＲ２０５、２１５は、たとえば、Ｍｂ／ｓさらにはＧＢ／ｓで大量のデータを送信および受信するように設計され得る。ＷＵＲトランシーバー２１０、２２０は、極低電力消費量（たとえば、１ｍＷ未満）で少量のデータを送信および受信するように設計され得る。たとえば、図２に示されるように、ＷＴＲＵ２０２ａは、ＷＴＲＵ２０２ａがＷＵＲパケット２１６を待っているときにそれのＰＣＲ２０５トランシーバーをオフに（または非アクティブ化）し、ＷＵＲトランシーバー２１０をオンに（またはアクティブ化）し得る。ＰＣＲ２０５がオフであり（またはドーズ／スリープ状態にあり）、ＷＵＲがオンである（またはアウェイク／アクティブ状態にある）間に、ＷＴＲＵ２０２ａ、２０２ｂは、ＷＵＲ２１０、２２０を介して、ウェイクアップするために、またはウェイクアップするためにＡＰ２１４からＷＵＲパケット２１６をいつ受信する見込みであるのかを知るためにＡＰ２１４からＷＵＲ（wake-up radio；ウェイクアップ無線）パケット２１６を受信し得る。たとえば、ＷＵＲトランシーバー２２０においてＷＵＲパケット２１６を受信すると、ＷＴＲＵ２０２ｂは、ＡＰ２１４との間でデータをさらに送信または受信するためにＰＣＲ２１５をオンにし得る。
【００７６】
既存のＡＰが新しいＡＰに置き換えられる場合、特に、ＷＵＲトランシーバーを装備したＳＴＡが現在ＷＵＲモードにあるとき、既存のＡＰに関連するすべてのＷＵＲトランシーバー（またはＷＵＲデバイス）を手動でリセットすることが実行不可能であり得る。ＷＵＲ  ＡＰは、電力を失った場合、既存のＳＴＡに関する記憶された情報、たとえば、ＳＴＡのウェイクアップＩＤ（ＷＩＤ）、ＷＵＲのスケジュールおよびデューティサイクルなどを失い得る。以前に関連付けられたＳＴＡでは、これらのＳＴＡは、ＷＵＲモードにあり得、ＷＵＲ  ＡＰが既存のＷＵＲ情報を有しないことに気づいていないことがある。
【００７７】
１つまたは複数の実施形態は、ＷＵＲ  ＡＰとＳＴＡとが迅速におよび効率的に互いを再発見することができることを保証するために再発見プロシージャを与え得、ＷＵＲスケジューリングおよび情報は、ＷＵＲトランシーバーをもつＳＴＡのためのエネルギーを節約するためにできるだけ早く再確立され得る。
【００７８】
ＷＵＲ  ＡＰは、電力損失、機能不全、損傷、窃盗、または他の理由により不意に失われ得る。場合によっては、ＷＵＲ  ＡＰは、通常動作に戻り得るが、それに関連するＳＴＡおよびＷＵＲ  ＳＴＡなどの既存の情報、ＷＩＤ、ＷＵＲグループＩＤ（ＧＩＤ）、ＷＵＲデューティサイクルなどのＷＵＲパラメーターなどを失っていることがある。いくつかの他の場合では、既存のＷＵＲスケジュール、デューティサイクルまたは他のパラメーター／情報に気づいていないことがある新しいＡＰで古いＡＰを置き換えるために新しいＡＰをもたらす必要があり得る。失われていることがあるＷＵＲ  ＡＰに関連するＷＵＲ  ＳＴＡ、特に、ＷＵＲモードにあるＷＵＲ  ＳＴＡは、ＡＰにおけるＷＵＲパラメーターの損失に気づいておらず、それのスケジュールされたＷＵＲ動作を続けることがある。ＷＵＲ  ＳＴＡは、すべてのＷＵＲビーコンを監視しないことがあり得る、または例えば、スケジュールされたデューティサイクルなどのある周期の間、ＷＵＲビーコンを監視するだけであることがあり得る。これらのＷＵＲ  ＳＴＡは、ウェイクアップされ、同じまたは新しいＡＰとの新しい関連付けを有し、および／または上記で説明された新しいＷＵＲスケジュールおよびパラメーターをネゴシエートする必要があり得る。
【００７９】
失われたＷＵＲ  ＡＰの再発見のための一実施形態では、ＷＵＲ  ＳＴＡをウェイクアップするためにパスフレーズまたは他のセキュリティー関連の情報断片が使用され得る。ＷＵＲ  ＡＰは、パスフレーズ、またはパスコードなどのセキュリティー情報の１つまたは複数の断片で構成または事前構成され得る。同じまたは異なるＢＳＳＩＤおよび／またはＳＳＩＤを用いた同じまたは別のＡＰによる緊急回復のためにそのようなパスフレーズまたはパスコードが使用され得る。そのような緊急回復はまた、暗号化鍵として、または他のセキュリティー目的のために使用され得る。緊急回復情報はまた、特定のＧＩＤおよび／もしくはセキュリティー鍵またはパスフレーズのうちの１つまたは複数の組合せであり得る。
【００８０】
ＷＵＲ  ＡＰは、認証されているかまたはそれ自体に関連したＷＵＲ  ＳＴＡに送られる管理フレーム、アクションフレーム、ＷＵＲフレームなどの１つまたは複数のフレーム中に緊急回復情報を含み得る。たとえば、緊急回復情報は、（再）関連付け応答中に、またはＷＵＲアクションフレーム中に、またはビーコンもしくは短ビーコンなどの他のタイプのフレーム中に含まれ得る。
【００８１】
緊急回復情報はまた、ＷＵＲネゴシエーションセットアッププロセスおよび／またはＷＵＲモード中断ネゴシエーションの部分として含まれ得る。
【００８２】
緊急回復情報は、それが停電によって失われないことを保証するためにそれのハードディスクなどのＡＰ中のロケーション中にまたはクラウド中に保存され得る。
【００８３】
ＷＵＲ  ＡＰは、リセットされ、動作を再開するとき、ＷＵＲモードにあり得る１つまたは複数のＷＵＲ  ＳＴＡにターゲットにされたウェイクアップフレーム（またはＷＵＲフレーム）中に緊急回復情報を含み得る。たとえば、ウェイクアップフレーム（またはＷＵＲフレーム）は、一般的なウェイクアップに関連付けられるかまたはＷＵＲリセットに関連付けられた特定のＧＩＤに送られ得る。ＧＩＤは、（すなわち、すべてのＳＴＡが、ＷＵＲチャネル／帯域、ＷＵＲレート、ＷＵＲデューティサイクルなどの１つまたは複数を含むＷＵＲモードネゴシエーションを再確立するためにウェイクアップしなければならないときに）それが一般的なウェイクアップに関連付けられるか、またはＷＵＲリセットに関連付けられることを示すために１つまたは複数のパスフレーズ、暗号化鍵、またはセキュリティー情報の断片と組み合わされ得る。ウェイクアップパケット（ＷＵＰ）は、ＢＳＳＩＤ、パスコード、またはＳＳＩＤなどのセキュリティー情報の１つまたは複数の部分を含み得るかまたは埋め込み得る。ＷＵＰは、ＳＴＡがウェイクアップする必要があることを示し得る「ＷＵＲリセット」または「ＢＳＳワイドリセット（BSS-wide reset）」などのウェイクアップのための理由を含み得る。ＷＵＰは、すべての利用可能なＷＵＲチャネル、ＷＵＲ帯域にわたって、および現在ＷＵＲモードにあるすべてのＷＵＲ  ＳＴＡをウェイクアップするのに十分であり得る周期に対して、送られ得るかまたは繰り返され得る。
【００８４】
置き換えＷＵＲ  ＡＰは、前のＷＵＲ  ＡＰに関連するＷＵＲ  ＳＴＡをウェイクアップするためにオペレータに知られているかまたはクラウドからもしくは他の方法を通して復元された同じ緊急回復情報を使用し得る。
【００８５】
ＡＰは、それが再起動されたことをビーコン、短ビーコン、またはブロードキャストＷＵＲアクションフレームなどの１つまたは複数のＰＣＲ（primary connectivity radio；プライマリーコネクティビティ無線）フレーム中で示し得る。ＰＣＲフレームは、ＰＣＲを介して送信されるまたは受信されるフレームを参照することがあり、管理フレームまたはアクションフレームを含むことがあり得る。
【００８６】
ＷＵＲモードにあるＷＵＲ  ＳＴＡは、（たとえば、それのＷＵＲデューティサイクルのＯＮデュレーションの間）ＷＵＰを受信すると１つまたは複数の条件に基づいてウェイクアップし得る。１つの条件は、ＷＵＰがＷＵＲ  ＳＴＡのＷＩＤにターゲットにされることであり得る。別の条件は、ＷＵＲ  ＳＴＡが関連付けられているＧＩＤにＷＵＰがターゲットされており、ＷＵＰ中に埋め込まれたＢＳＳＩＤがＷＵＲ  ＳＴＡのＢＳＳＩＤを示すことであり得る。別の条件は、ＷＵＰ中のセキュリティー情報が真正であることが検証されることであり得る。別の条件は、ＷＵＰが、「一般的なウェイクアップ」または「ＢＳＳ全体のリセット」に関連付けられたＧＩＤにターゲットにされるか、またはＷＵＰが、マルチキャスト／ブロードキャストグループにターゲットされ、それがウェイクアップを「一般的なウェイクアップ」または「ＢＳＳ全体のリセット」とする理由を含み得ることであり得る。また、別の条件は、ＷＵＰ中に埋め込まれたＢＳＳＩＤがＷＵＲ  ＳＴＡのＢＳＳＩＤを示すことであり得る。
【００８７】
ＷＵＲ  ＳＴＡは、ウェイクアップし得、ＷＵＲプロシージャに従ってそれらのＰＣＲ上でＡＰにＵＬパケットを送り得る。ＷＵＲ  ＡＰは、次いで、ディスアソシエーションフレーム（disassociation frame）を送り得る。一例では、ＷＵＲ  ＡＰは、たとえば、ブロードキャストＭＡＣアドレスと「ＳＴＡリセット」のための理由コードとを使用してｄｉｓａｓｓｏｃｉａｔｅ．ｒｅｑｕｅｓｔプリミティブを呼び出すことによってすべてのＳＴＡにブロードキャストのディスアソシエーションフレームを送り得る。別の例では、ＷＵＲ  ＳＴＡは、「ＷＵＲリセット」または「ＢＳＳワイドリセット」の理由のためにウェイクアップされると、ウェイクアップし、ＷＵＲ  ＡＰにディスアソシエーションフレームを送り得る。さらに別の例では、ＷＵＲ  ＳＴＡは、ウェイクアップした後のタイムアウト後にＡＰから関連付けを解除し得る。
【００８８】
置き換えＷＵＲ  ＡＰは、１つまたは複数のＰＣＲフレーム中で、たとえば、ビーコン、短ビーコン、ブロードキャストＷＵＲアクションフレーム、ＦＩＬＳ発見フレームなどの中でそれが前のＡＰのための置き換えＡＰであることを示し得る。
【００８９】
ＷＵＲ  ＳＴＡは、ＷＵＲ  ＡＰに（再）関連付けることを選定し、ＷＵＲパラメーターを確立するためにＷＵＲネゴシエーションを行い得る。ＷＵＲ  ＳＴＡは、次いで、ＷＵＲモードに入ることを要求し得、それのＰＣＲをオフにまたは非アクティブ化し得る。
【００９０】
各リセット後に、ＡＰは、新しいパスフレーズ、新しいパスコード、新しいＧＩＤなどの緊急回復情報をリフレッシュし得る。
【００９１】
図３は、本明細書で説明される他の実施形態のいずれかと組み合わせて使用され得る基本サービスセット（ＢＳＳ）カウンターを使用する例示的なプロシージャ３００を示す。ステップ３０５において、１つまたは複数のトランシーバーを装備したＷＴＲＵまたはＳＴＡは、第１のカウンターを含むフレームを受信し得る。１つまたは複数のトランシーバーは、ＰＣＲのための第１のトランシーバーとＷＵＲのための第２のトランシーバーとを含み得る。フレームは、第１のトランシーバー（すなわちＰＣＲ）を介して受信され得、上記で説明された管理フレームまたはアクションフレームであり得る。管理フレームの例は、限定はしないが、ビーコンフレームと、関連付け要求フレームと、関連付け応答フレームと、再関連付け要求フレームと、再関連付け応答フレームと、探査要求フレームと、プローブ応答フレームとを含み得る。アクションフレームの例は、限定はしないが、ＷＵＲモードセットアップフレーム、ＷＵＲモード解除フレームなどを含み得る。第１のトランシーバー（すなわちＰＣＲ）を介して受信されたフレームは、ビーコンフレームなどの管理フレームであり得る。第１のトランシーバー（すなわち、ＰＣＲ）を介して受信されるフレームは、ＷＵＲモードセットアップフレームなどのアクションフレームまたはＷＵＲアクションフレームであり得る。
【００９２】
ＷＴＲＵがネゴシエーションプロシージャ中にあるのかどうかに関係なく、受信された管理フレームおよび／または受信されたアクションフレーム（たとえば、ビーコンフレームおよび／またはＷＵＲモードセットアップフレーム）は、上記で説明されたようにフレーム中にＷＵＲオペレーションエレメントを含み得る。ＷＵＲオペレーションエレメントは、ＷＵＲ動作をサポートするのに必要なパラメーターのセットを含み得る。たとえば、ＷＵＲオペレーションエレメントは、カウンターサブフィールドを含むＷＵＲパラメーターを含み得る。カウンターサブフィールドは、ステップ３０５の第１のカウンター値を含み得る。第１のカウンター値は、現在のＢＳＳ（basic serve set）のカウンター値または更新されたＢＳＳのカウンター値であり得る。
【００９３】
ステップ３０７において、カウンター変数を局所的に記憶し、維持するＷＴＲＵまたはＳＴＡは、カウンター変数の値をＷＵＲオペレーションエレメント中の第１のカウンターの値に更新し得る。第１のカウンターの値は、ビーコンまたはＷＵＲモードセットアップフレーム中のＷＵＲオペレーションエレメントに含まれる最新のカウンター値であり得る。
【００９４】
ネゴシエーションプロシージャが完了した後、ＷＴＲＵは、電力を節約するためにステップ３１０において、第１のトランシーバー（すなわち、ＰＣＲ）をオフにし（または非アクティブ化し）、第２のトランシーバー（すなわち、ＷＵＲ）をオンにする（またはアクティブ化する）。第２のトランシーバーは、第１のトランシーバーがオフにされた（または非アクティブ化された）後にオンされ得る（またはアクティブ化され得る）か、または第１のトランシーバーがオフにされる（または非アクティブ化される）前にあらかじめオンにされ得る（またはアクティブ化され得る）ことに留意されたい。第１のトランシーバーがオフにされると、第１のトランシーバーは、ドーズ（またはスリープ）状態に入り得る。第１のトランシーバーは、省電力（ＰＳ）モードにあり得る。第２のトランシーバーは、ウェイクアップ信号を受信するためにアクティブモードにあり得る。
【００９５】
詳細には、ＷＴＲＵがＷＵＲモードにあるとき、ＷＴＲＵの第２のトランシーバーは、ＡＰとＷＴＲＵとの間で同意されたＷＵＲデューティサイクルスケジュール中にアウェイク状態にあり得る。
【００９６】
ステップ３１５において、ＷＴＲＵは、アウェイク状態にある第２のトランシーバーを介して、ＷＵＲフレームまたはＷＵＲパケットを監視し得る。ステップ３２０において、ＷＴＲＵは、ＡＰから、アウェイク状態にある第２のトランシーバーを介して、第２のカウンター値を含むＷＵＲフレームを受信し得る。
【００９７】
ステップ３２０において受信されたＷＵＲフレームは、ＷＵＲウェイクアップ（すなわち、タイプ＝１）フレームであり得る。ＷＵＲウェイクアップフレームは、ＴＤ制御フィールドなどのフィールドを含み得る。ＴＤ制御フィールドは、カウンターサブフィールドを含み得る。カウンターサブフィールドは、ステップ３２０の第２のカウンター値を含み得る。第２のカウンター値は、ＢＳＳカウンター値であり得る。第２のカウンター値は、ＡＰまたは第１のトランシーバーの（またはＰＣＲの）ＢＳＳに関連するパラメーターに任意の重要な更新が行われたのかどうかを示し得る。代替または追加として、ＷＵＲウェイクアップフレームがブロードキャストされる場合、ＷＵＲウェイクアップフレームは、ステップ３２０の第２のカウンター値を含むＢＳＳ更新カウンターフィールドを含み得る。ＢＳＳ更新カウンターフィールド中の第２のカウンター値は、ＡＰまたはＡＰに関連する第１のトランシーバーの（ＰＣＲの）ＢＳＳパラメーターに任意の重要な更新が発生したのかどうかを示し得る。
【００９８】
ＡＰは、ＢＳＳパラメーター更新カウンターを維持し得る。ＡＰは、たとえば、重要な更新がビーコンフレーム内の要素のいずれかに行われるときにＢＳＳパラメーター更新カウンターの値を増加または減少し得る。ＡＰは、送信されたブロードキャスト／マルチキャスト／ユニキャストＷＵＲウェイクアップフレーム中のＴＤ制御フィールドのカウンターサブフィールド中にＢＳＳパラメーター更新カウンターの現在値（すなわち、第２のカウンター値）を含み得る。
【００９９】
ステップ３２５において、ＷＴＲＵは、第１のカウンター値と第２のカウンター値とが異なるのかどうかを決定し得る。第１のカウンター値と第２のカウンターと値が異ならない（すなわち同じである）場合、ＷＴＲＵは、ＡＰまたはＡＰに関連するＢＳＳパラメーターに重要な更新がないと決定し得る。しかしながら、第１のカウンター値が第２のカウンター値と異なる場合、ＷＴＲＵは、ＡＰまたはＡＰに関連するＢＳＳパラメーターに重要な更新があると決定し得る。
【０１００】
ＡＰまたはＡＰに関連するＢＳＳパラメーターに重要な更新があるとＷＴＲＵが決定すると、ステップ３３０において、ＷＴＲＵは、第１のトランシーバーをアクティブ化することによって第１のトランシーバーをウェイクアップし得る。第１のトランシーバーは、次いで、ＡＰに関連するＢＳＳパラメーターを更新するために、および／または更新に関係するさらなる情報を受信するためにアウェイクまたはアクティブ状態に入り得る。たとえば、ステップ３３５において、ＷＴＲＵは、ＢＳＳパラメーターを更新するために第１のトランシーバーを介してビーコンフレーム（すなわち、ＰＣＲビーコン）を受信し得る。ＷＴＲＵはまた、ＷＴＲＵを識別するＷＩＤに設定されたアドレスフィールドをもつＷＵＲウェイクアップフレームを受信した後に、それの第１のトランシーバー（すなわち、ＰＣＲ構成要素）を使用してＡＰに応答フレームを送り得る。
【０１０１】
再発見のための一実施形態では、ＷＵＲ  ＳＴＡまたはＷＵＲ  ＷＴＲＵをウェイクアップするためにＷＵＲフレームまたはビーコン中のＢＳＳカウンターが使用され得る。ＷＵＲ  ＡＰが新たに再起動されたことを示すために特定のＢＳＳカウンター値が使用され得る。たとえば、そのようなＢＳＳカウンター値は、すべて「０」もしくはすべて「１」またはあらかじめ定義された値であり得る。そのような値は、ＢＳＳ設定を変更したことの結果として任意のＷＵＲフレーム中で使用され得る。そのような値はまた、ＷＵＲ応答フレームなどのＷＵＲアクションフレーム中に含まれ得る。さらに、ＷＵＲ応答フレームなどのＷＵＲアクションフレームは、「現在のＷＵＲ  ＢＳＳカウンター」の値を含み得、したがって、ＷＵＲ  ＳＴＡは、それがＷＵＲモードに入るときにＷＵＲビーコンまたはビーコン中で使用されるＷＵＲ  ＢＳＳカウンター値の現在の設定に気づいている。現在のＢＳＳカウンター値は、アクセスポイント−接続サービスネットワーク（ＡＰ−ＣＳＮ）などの別のカウンターまたはＢＳＳ中で使用される他のビーコンもしくはＢＳＳ設定関連のカウンターから導出され得るか、またはそれに基づき得る。
【０１０２】
ＷＵＲ  ＡＰは、再起動した後、新しい再起動を示す値にＢＳＳカウンター値の値を設定する、または（たとえば、ＷＵＲビーコンもしくはブロードキャスト／マルチキャスト／ユニキャストのＷＵＲフレームにおいて）「ＷＵＲリセット」もしくは「ＢＳＳワイドリセット」を示すことがあり得る。別の例では、ＷＵＲ  ＡＰは、ＢＳＳカウンターをランダムに設定し得、すべてのＳＴＡが新しいＢＳＳ設定のためにウェイクアップされることになることを保証するために、ＷＵＲ  ＡＰは、ＢＳＳ設定が更新されたことを必要とすることなしにそれの再起動後にＢＳＳカウンターを１回または複数回増加し得る。
【０１０３】
ＷＵＲ  ＡＰは、現在ＷＵＲモードにあるすべてのＷＵＲ  ＳＴＡをウェイクアップするためにＷＵＲビーコン中のＢＳＳカウンター値を使用してＢＳＳカウンターを設定し得る。追加または代替として、ウェイクアップフレームは、ＷＵＲリセット／ＢＳＳリセットのために定義され得る。ウェイクアップフレームは、ＢＳＳカウンター値を示し得る。ＷＵＲビーコンおよび／またはＷＵＲリセットフレームは、ＡＰのＢＳＳＩＤを用いて埋め込まれ得る。ＷＵＲビーコンまたはＷＵＲフレームは、すべての利用可能なＷＵＲチャネル、ＷＵＲ帯域にわたって、および現在ＷＵＲモードにあるすべてのＷＵＲ  ＳＴＡをウェイクアップするのに十分であり得る周期に対して、送られ得るかまたは繰り返され得る。
【０１０４】
ＡＰは、それが再起動されたことをビーコン、短ビーコン、ブロードキャストＷＵＲアクションフレームなどの１つまたは複数のＰＣＲフレーム中で示し得る。ＷＵＲ  ＡＰは、ＰＣＲフレーム中にＷＵＲ  ＢＳＳカウンターを含み得る。
【０１０５】
ＷＵＲモードにあるＷＵＲ  ＳＴＡは、たとえば、それのＷＵＲデューティサイクルのオンデュレーション（on duration）の間、ウェイクアップフレームまたはウェイクアップパケット（ＷＵＰ）を受信すると、１つまたは複数の条件に基づいてウェイクアップし得る。１つのそのような条件は、それが受信した最後のＷＵＲビーコン中に含まれている値とは異なるＢＳＳカウンターの値、またはＷＵＲネゴシエーションプロセス中に示された値とは異なる値、またはそれがＷＵＲモードに入ったときに既存のカウンターから導出された異なる値、または「ＡＰ再起動」および／もしくは「ＢＳＳリセット」および／もしくは「ＷＵＲリセット」を示す値をＷＵＲビーコンが含んでいることであり得る。別の条件は、ＡＰが再起動されていることおよび／またはＢＳＳ／ＷＵＲリセットをウェイクアップフレームが示すことであり得る。別の条件は、含まれているセキュリティー情報が検証されることであり得る。別の条件は、埋め込まれたＢＳＳＩＤ／ＳＳＩＤが所望のＢＳＳＩＤ／ＳＳＩＤであることであり得る。ＷＵＲ  ＳＴＡは、ウェイクアップし得、ＷＵＲプロシージャに従ってそれらのＰＣＲ上でＡＰにＵＬパケットを送り得る。ＷＵＲ  ＡＰは、次いで、ディスアソシエーションフレームを送り得る。一例では、ＷＵＲ  ＡＰは、たとえば、ブロードキャストＭＡＣアドレスと「ＳＴＡリセット」または「ＢＳＳリセット」のための理由コードとを使用してｄｉｓａｓｓｏｃｉａｔｅ．ｒｅｑｕｅｓｔプリミティブを呼び出すことによってすべてのＳＴＡにブロードキャストのディスアソシエーションフレームを送り得る。別の例では、ＷＵＲ  ＳＴＡが、特定のＢＳＳカウンター値によってまたはウェイクアップフレームのタイプによって示され得る「ＷＵＲリセット」または「ＢＳＳワイドリセット」の理由のためにウェイクアップされると、ＷＵＲ  ＳＴＡは、ウェイクアップし、ＷＵＲ  ＡＰにディスアソシエーションフレームを送り得る。さらに別の例では、ＷＵＲ  ＳＴＡは、ウェイクアップした後のタイムアウト後にＡＰから関連付けを解除し得る。
【０１０６】
ＷＵＲ  ＳＴＡは、ＷＵＲ  ＡＰに（再）関連付けることを選定し得、次いで、１つまたは複数のＷＵＲパラメーターを確立するためにＷＵＲネゴシエーションを行い、次いで、ＷＵＲ  ＳＴＡは、ＷＵＲモードに入るように要求し得、それのＰＣＲをオフにし得る。
【０１０７】
一実施形態では、ＡＰは、ＳＴＡに現在のＢＳＳカウンター値または現在のＢＳＳ更新カウンター値を示すために１つまたは複数のステップを実行し得る。ＡＰは、ＡＰのＰＣＲを使用して送信されるビーコンまたはＷＵＲアクションフレーム中の要素を使用して最後のブロードキャストウェイクアップパケットなどの最新のウェイクアップパケット中に含まれるカウンターサブフィールドの現在値を示し得る。たとえば、そのような要素は、ＷＵＲオペレーションエレメントまたはＷＵＲモード要素もしくはＷＵＲ能力要素であり得る。そのような要素は、ビーコンフレーム、短ビーコンフレーム、および／またはＷＵＲモードセットアップフレーム中に含まれ得る。追加または代替として、最新のブロードキャストウェイクアップパケットなどの最後のウェイクアップパケット中に含まれるカウンターサブフィールドの現在値は、ビーコン、および／またはＷＵＲモードセットアップフレームなどのＷＵＲアクションフレーム、および／または他のタイプの管理フレーム、制御フレーム、データフレーム、アクションフレームもしくは拡張フレーム中に直接含まれ得る。ＡＰは、ＷＵＲオペレーションエレメントが最近更新されたとき（たとえば、カウンターフィールドが増加したとき、ＷＵＲ動作チャネルが変更されたとき、ＷＵＲビーコンオフセットが変更されたとき、ＷＵＲビーコン周期が変更されたときなど）ＷＵＲモードセットアップフレームなどのＷＵＲアクションフレーム中にＷＵＲオペレーションエレメントを含み得る。
【０１０８】
非ＡＰ  ＳＴＡおよび／またはＷＵＲ動作が可能であるＡＰは、カウンター変数を維持し得る。追加または代替として、非ＡＰ  ＳＴＡおよび／または真に設定されたｄｏｔ１１ＷＵＲＯｐｔｉｏｎＩｍｐｌｅｍｅｎｔｅｄを有するＡＰは、カウンター変数またはカウンターフィールドを維持し得る。ＳＴＡは、カウンター変数またはカウンターフィールドの値を、ビーコンなど、それのＰＣＲ構成要素を使用してフレーム中で受信されたまたはＷＵＲモードセットアップフレームなどのＷＵＲアクションフレーム中で受信された最新のカウンター値に更新し得る。最新のカウンター値は、上記で説明されたようにＷＵＲオペレーションエレメント、ＷＵＲモード要素、またはＷＵＲ能力要素中に含まれ得る。
【０１０９】
それのカウンター変数（またはカウンターフィールド）とは異なる値を含んでいるＷＵＲウェイクアップフレーム中のＴＤ制御フィールドのカウンターサブフィールドを受信する非ＡＰ  ＳＴＡは、それのＰＣＲ構成要素をオンにし、それのＰＣＲ遅延制約を受けるＰＣＲビーコン情報を受信しようと試みるためにトラフィックインジケーションマップ（ＴＩＭ）ブロードキャストプロシージャに従い得る。
【０１１０】
一例では、非ＡＰ  ＳＴＡは、それがそれの関連するＡＰからＰＣＲビーコン情報を正常に受信した直後にそれのＰＣＲ構成要素をオフにし得る。この例では、ＡＰは、それのＴＤ制御フィールド（Ｔｂ）中に更新されたカウンターフィールドを含んでいるブロードキャストＷＵＲパケットの送信の時間から非ＡＰ  ＳＴＡによって示されたＰＣＲ送信遅延（ＰＣＲ＿ｄｅｌａｙ）が満了した時間までそれが成功したＷＵＲモードネゴシエーションを完了した非ＡＰ  ＳＴＡのＰＣＲ構成要素がドーズモードにあると考慮し得る。それが成功したＷＵＲモードネゴシエーションを完了した非ＡＰ  ＳＴＡのＰＣＲ構成要素は、時間（Ｔｂ＋ＰＣＲ＿ｄｅｌａｙ）から第１のＰＣＲビーコンが送信されるまでアウェイクモードにあり得る。ビーコンの正しい受信を保証するために、ＡＰは、非ＳＴＡのＰＣＲを、Ｔｂ＋ＰＣＲ＿ｄｅｌａｙの後のあらかじめ定義された数のビーコン間隔、アウェイクモードにあると考えることがあり得る。ＡＰは、その後それが成功したＷＵＲモードネゴシエーションを完了した非ＡＰ  ＳＴＡのＰＣＲ構成要素がドーズ状態になると考慮し得る。
【０１１１】
別の例では、それのカウンター変数またはカウンターフィールドとは異なる値を含んでいるＷＵＲウェイクアップフレーム中のＴＤ制御フィールドのカウンターサブフィールドを受信する非ＡＰ  ＳＴＡは、それのＰＣＲ構成要素をオンにし、それのＰＣＲ遅延制約を受けるＰＣＲビーコン情報を受信しようと試みるためにＴＩＭブロードキャストプロシージャに従い得る。非ＡＰ  ＳＴＡは、それのＰＣＲ構成要素がそれがＡＰからＰＣＲビーコンを正常に受信した後にアウェイク状態にあるとＡＰに通知するためにそれのＰＣＲ構成要素を使用してそれのＡＰとフレーム交換を行い得る。非ＡＰ  ＳＴＡは、それが正常にＷＵＲアクションフレーム交換を完了し、それのＡＰからＰＣＲビーコンを受信した後にＷＵＲモードまたはＷＵＲ中断モードに進み得る。
【０１１２】
ＡＰからブロードキャストＷＵＰを受信する、またはそれのＡＰからブロードキャストＷＵＰを受信する、または（たとえば、ＳＴＡが関連付けられたＧＩＤを含むことによって）それにアドレス指定されたマルチキャストＷＵＰを受信する非ＡＰ  ＳＴＡは、それのＰＣＲ構成要素をオンにし得る。ＳＴＡがそれのＰＣＲを使用してグループアドレス指定されたデータパケットを受信しなければならないことを示すブロードキャストＷＵＰをそれのＡＰから受信する、またはＳＴＡが（たとえば、ＷＵＰ中に「０」のＩＤを含むことによって）それのＰＣＲを使用してグループアドレス指定されたデータパケットを受信しなければならないことを示す、それにアドレス指定されたマルチキャストＷＵＰを受信する非ＡＰ  ＳＴＡは、それのＰＣＲを使用してグループアドレス指定されたデータパケットを受信するためにそれのＰＣＲ構成要素をオンにし得る。
【０１１３】
一例では、非ＡＰ  ＳＴＡは、それがそれのＰＣＲを使用してそれの関連するＡＰからグループアドレス指定されたデータフレームを正常に受信した直後にそれのＰＣＲ構成要素をオフにし得る。この例では、ＡＰは、それのＴＤ制御フィールド（Ｔｂ）中に更新されたカウンターフィールドを含んでいるブロードキャストＷＵＲパケットの送信の時間から非ＡＰ  ＳＴＡによって示されたＰＣＲ送信遅延（ＰＣＲ＿ｄｅｌａｙ）が満了した時間までそれが成功したＷＵＲモードネゴシエーションを完了した非ＡＰ  ＳＴＡのＰＣＲ構成要素がドーズモードにあると考慮し得る。それが成功したＷＵＲモードネゴシエーションを完了した非ＡＰ  ＳＴＡのＰＣＲ構成要素は、時間（Ｔｂ＋ＰＣＲ＿ｄｅｌａｙ）から第１のＰＣＲビーコンが送信されるまでアウェイクモードにあり得る。ビーコンの正しい受信を保証するために、ＡＰは、Ｔｂ＋ＰＣＲ＿ｄｅｌａｙの後のあらかじめ定義された数のビーコン間隔の間非ＳＴＡのこれらのＰＣＲがアウェイクモードにあると考慮し得る。ＡＰは、その後それが成功したＷＵＲモードネゴシエーションを完了した非ＡＰ  ＳＴＡのＰＣＲ構成要素がドーズ状態になると考慮し得る。
【０１１４】
別の例では、ＳＴＡがそれのＰＣＲを使用してグループアドレス指定されたデータパケットを受信しなければならないことを示すブロードキャストＷＵＰをそれのＡＰから受信する、またはＳＴＡが（たとえば、「０」のＩＤを含むことによって）それのＰＣＲを使用してグループアドレス指定されたデータパケットを受信しなければならないことを示す、それにアドレス指定されたマルチキャストＷＵＰを受信する非ＡＰ  ＳＴＡは、それのＰＣＲを使用してグループアドレス指定されたデータパケットを受信するためにそれのＰＣＲ構成要素をオンにし得る。非ＡＰ  ＳＴＡは、それのＰＣＲ構成要素がそれがＡＰからＰＣＲビーコンを正常に受信した後にアウェイク状態にあるとＡＰに通知するためにそれのＰＣＲ構成要素を使用してそれのＡＰとフレーム交換を行い得る。非ＡＰ  ＳＴＡは、それが正常にＷＵＲアクションフレーム交換を完了し、それのＡＰからグループアドレス指定されたフレームを受信した後にＷＵＲモードまたはＷＵＲ中断モードに進み得る。
【０１１５】
失われたＷＵＲ  ＡＰの再発見のための一実施形態では、隣接ＡＰは、回復ＡＰとして使用され得る。ＷＵＲ  ＡＰは、それのＷＵＲ  ＳＴＡのためのバックアップＡＰとして１つまたは複数のネイバーＡＰを示し得る。そのようなインジケーションは、減少されたネイバー報告などの任意の既存のフィールド中に、またはＷＵＲオペレーションエレメントなどの新たに定義された要素中であり得る。たとえば、減少されたネイバー報告要素または任意の他のフィールドもしくはサブフィールド中の１つまたは複数のビットは、ネイバーＡＰがＷＵＲサービスをサポートすること、および／または現在のＡＰのためのバックアップＡＰであることを示すために使用され得る。セキュリティー情報、ＷＵＲリセットのための特定のＧＩＤ、置き換えＡＰのためのＢＳＳＩＤ／ＳＳＩＤもしくは他のＩＤ、および／またはパスフレーズは、ＷＵＲネゴシエーションの部分であり得る任意のＰＣＲフレーム（たとえば、ＷＵＲアクションフレームまたはＷＵＲ応答フレーム）中に含まれ得る。
【０１１６】
ＷＵＲ  ＡＰが、たとえば、窃盗または損傷により失われると、ＷＵＲモードにある既存のＷＵＲ  ＳＴＡをウェイクアップするために置き換えＡＰが使用され得る。置き換えＡＰは、ＷＵＲデバイスをウェイクアップするために、および／またはＷＵＲデバイスをリセットするためにセキュリティー情報、それのＩＤ、またはＧＩＤを使用して失われたＡＰに関連するＷＵＲデバイスにウェイクアップパケットを送り得る。
【０１１７】
ＷＵＲ  ＳＴＡは、１つまたは複数の条件に基づいてＷＵＲパケットを受信した後にウェイクアップし得る。１つのそのような条件は、ＷＵＰがそれが関連するＷＵＲ  ＡＰのための置き換えＡＰからのものであることであり得る。別の条件は、ＷＵＰがＷＵＲ  ＳＴＡが属するＧＩＤ／ブロードキャストＩＤにターゲットされ得ること、またはＧＩＤが既存のＡＰの損失に関連付けられていることであり得る。別の条件は、ＷＵＲ  ＡＰのＢＳＳＩＤ、ＳＳＩＤまたは他のタイプのＩＤなどのＩＤがＷＵＰ中に含まれ得ることであり得る。
【０１１８】
ＷＵＲ  ＳＴＡは、ウェイクアップし得、ウェイクアップした後のタイムアウト後にそれの前のＡＰとの関連付けを解除し得る。
【０１１９】
置き換えＡＰは、それのＰＣＲフレームのうちの１つまたは複数中で、それが失われたＡＰのための置き換えＡＰであること、および／または１つまたは複数の置き換えＡＰのＩＤを示し得る。
【０１２０】
ＷＵＲ  ＳＴＡは、置き換えＡＰに（再）関連付けることまたは置き換えＡＰのうちの１つに（再）関連付けることを選定し得る。
【０１２１】
失われたＷＵＲ  ＡＰが８０２．１１拡張サービスセット（ＥＳＳ）のメンバーであった場合の失われたＷＵＲ  ＡＰの再発見のための一実施形態では、ＡＰは、ＥＳＳのメンバーであるので独立して存在していないことがある。ＥＳＳ中のＡＰは、複数のＢＳＳ（ＡＰ）とともに構築されるネットワークの拡張形態の構成要素であり得る。ＢＳＳ（ＡＰ）を相互接続するために使用されるアーキテクチャの構成要素は、配信システム（ＤＳ）である。この追加されたアーキテクチャの構成要素、ＤＳ、により、ＡＰ（ＢＳＳ）が不意に失われたときに複数のタイプの回復が可能になり得る。これは、ＡＰがＷＵＲ  ＳＴＡの関連付け、構成、セキュリティーおよび任意の他の情報をＤＳに通知することによって可能にされ得る。この通知は、ＷＵＲ  ＳＴＡ関連付けプロセスの部分であり得る。ＤＳおよび／または配信システムサービス（ＤＳＳ）またはＤＳに接続されたコントローラは、次いで、ＷＵＲ  ＳＴＡ構成値、セキュリティー情報、および予想される挙動を追跡し得る。ＤＳまたは取り付けられたコントローラは、ＡＰ（ＢＳＳ）の損失に気づいており、次いで、ＥＳＳについてのＤＳの知識に基づいて、失われたＡＰに置き換え機能を与えるためにＥＳＳ中で残りのＡＰのうちの１つまたは複数に不意に失われたＡＰに関連付けられたＷＵＲ  ＳＴＡについてそれが有する情報を送り得る。これにより、ＷＵＲ  ＳＴＡの通知なしにまたはＷＵＲ  ＳＴＡがＷＵＲサービスまたはスケジュールを再確立する必要なしにＷＵＲ機能の回復が可能になり得る。これは、ＷＵＲ  ＳＴＡのためのＷＵＲ機能の透過的な回復であり得る。新しいＷＵＲ  ＡＰまたはＡＰは、ウェイクアップメッセージ中で新しいＡＰのＭＡＣアドレスおよび構成情報をＷＵＲ  ＳＴＡに与え得るか、またはウェイクアップすると、ＥＳＳ中で関連付けられているＳＴＡがそれの関連するＢＳＳを選定するのと同じように、ＷＵＲ  ＳＴＡは、関連付けるためにＥＳＳ中の異なるＢＳＳを選定し得る。
【０１２２】
同様のタイプの透過的な回復はまた、それのＧＬＫネットワークの部分としてＷＵＲコントローラを有する一般リンク（ＧＬＫ）ＡＰにとって可能であり得る。そのようなＧＬＫ  ＡＰは、ＷＵＲ  ＧＬＫ  ＳＴＡとＷＵＲ非ＧＬＫ  ＳＴＡとの両方にＷＵＲサービスを与え得る。関連付けられたＷＵＲコントローラは、ＤＳがそうであるのと同じようにＷＵＲ  ＳＴＡ関連付けパラメーターについての知識を有し得、ＷＵＲ機能を与えるためにそれが知識を有する他のＧＬＫ  ＡＰを使用することによって不意に失われたＡＰに関連付けられたＷＵＲ  ＳＴＡの各々にＷＵＲサービスを与え得る。
【０１２３】
透過的な回復に加えて、ＤＳおよび／またはＷＵＲコントローラは、不意に失われたＡＰに関連付けられたＷＵＲ  ＳＴＡをウェイクアップし、ＷＵＲサービスおよびスケジューリングを再確立するために現在アクティブなＥＳＳ  ＡＰまたはＧＬＫ  ＡＰに関連付けるようにそれらに要求し得る。部分的に透過的な回復では、関連付けられたＷＵＲ  ＳＴＡは、透過的な方式で与えられたそれのＷＵＲ機能の一部と再関連付けの後にのみ与えられるそれのＷＵＲ機能の一部とを有し得る。
【０１２４】
ＥＳＳの部分であるＡＰとのＷＵＲ  ＳＴＡの関連付けは、ＡＰがＤＳにすべてのＷＵＲ  ＳＴＡ関連付け情報を転送することを必要とし得る。ＷＵＲコントローラを含んでいるネットワークの部分であるＧＬＫ  ＡＰとのＷＵＲ  ＳＴＡの関連付けは、ＧＬＫ  ＡＰがＷＵＲコントローラまたは別のエンティティにすべてのＷＵＲ  ＳＴＡ関連付け情報を転送することを必要とし得る。
【０１２５】
この回復プロセスの一部として、ＷＵＲ  ＳＴＡに送られたＷＵＲ送信中の制御シグナリングがあり得る。このシグナリングは、周波数帯域情報、新しいＡＰのＭＡＣアドレス、いくつかの潜在的な新しいＡＰのＭＡＣアドレス、ネイバー報告情報、ＡＰビーコンタイミング情報、ＷＵＲビーコンタイミング情報、ＥＳＳ情報、ＢＳＳ情報、またはＷＵＲ  ＳＴＡがＥＳＳもしくは異なるＢＳＳに関連付けられ続けることおよび／またはＷＵＲサービスを受信し続けることを可能にし得る任意の他の情報を含み得る。シグナリングの部分は、ＷＵＲ送信中で送られ得、シグナリングの一部分は、８０２．１１を使用して送られ得るか、またはＷＵＲ送信は、ＷＵＲ  ＳＴＡの関連付けまたは再関連付けを構成／再構成するために８０２．１１無線上でシグナリングが実行されなければならないことを示し得る。ＷＵＲ  ＳＴＡに送られたＷＵＲ送信はまた、ＷＵＲ  ＳＴＡが測定を行うかまたはＳＴＡによって認識される特定のもしくは利用可能なＡＰに関する情報を与えることを要求し得る。
【０１２６】
失われたＷＵＲ  ＡＰの再発見のための一実施形態では、ＷＵＲ  ＡＰは、新しいＷＵＲ  ＡＰによって置き換えられているかまたはアップグレードされており、したがって、失われることが予想され、計画され得るので、ＷＵＲ  ＡＰは「失われ」得る。ＷＵＲ  ＡＰがそれのサービスを終了しつつあること（すなわち、失われつつあること）を示すために特定のＢＳＳカウンター値が使用され得る。そのようなＢＳＳカウンター値は、すべて「０」もしくはすべて「１」またはあらかじめ定義された値であり得る。そのような値は、通常のＢＳＳ設定の変更を示すために使用されないことがある。さらに、上記の値は、例えば、管理フレーム、アクションフレーム、ＷＵＲアクションフレーム、またはＷＵＲ応答フレームなどのＰＣＲフレームに含まれることもあり得る。さらに、ＷＵＲ応答フレームなどのＷＵＲアクションフレームは、「現在のＷＵＲ  ＢＳＳカウンター値」の値を含み得、したがって、ＷＵＲ  ＳＴＡは、それがＷＵＲモードに入るときにＷＵＲビーコン中で使用されるＷＵＲ  ＢＳＳカウンター値の現在の設定に気づいている。現在のＢＳＳカウンター値は、ＡＰ−ＣＳＮなどの別のカウンターまたはＢＳＳ中で使用される他のビーコンカウンターから導出され得るか、またはそれに基づき得る。
【０１２７】
既存のＷＵＲ  ＡＰが置き換えられる前に、それは、「サービスを終了すること」を示す値にＢＳＳカウンターの値を設定し得る。別の例では、ＷＵＲ  ＡＰは、ＢＳＳカウンターの値をランダムに設定し得、すべてのＳＴＡが新しいＢＳＳ設定のためにウェイクアップされることになることを保証するために、ＷＵＲ  ＡＰは、ＢＳＳ設定が更新されたことを必要とすることなしにＢＳＳカウンターを増加し得る。
【０１２８】
ＷＵＲ  ＡＰは、現在ＷＵＲモードにあるすべてのＷＵＲ  ＳＴＡをウェイクアップするためにＷＵＲビーコン中のＢＳＳカウンター値を使用してＢＳＳカウンターを設定し得る。追加または代替として、新しいウェイクアップフレームは、サービスの終了のために定義され得る。新しいウェイクアップフレームは、ＢＳＳカウンター値を示し得る。ＷＵＲビーコンおよび／またはＷＵＲ終了ウェイクアップフレームは、ＡＰのＢＳＳＩＤを用いて埋め込まれ得る。そのようなＷＵＲビーコンまたはＷＵＲフレームは、すべての利用可能なＷＵＲチャネル、ＷＵＲ帯域にわたって、および現在ＷＵＲモードにあるすべてのＷＵＲ  ＳＴＡをウェイクアップするのに十分であり得る周期に対して、送られ得るかまたは繰り返され得る。
【０１２９】
ＡＰは、それがサービスを終了しつつあることをビーコン、短ビーコン、および／またはブロードキャストＷＵＲアクションフレームなどの１つまたは複数のＰＣＲ（primary connectivity radio；プライマリーコネクティビティ無線）フレーム（たとえば、管理フレームまたはアクションフレーム）中で示し得る。ＷＵＲ  ＡＰは、ＰＣＲフレーム中にＷＵＲ  ＢＳＳカウンターを含み得る。ＷＵＲ  ＡＰは、たとえば、減少されたネイバー報告要素中に置き換えＡＰを含み得る。一例では、それがＷＵＲ動作をサポートすることを示すために減少されたネイバー報告中で１つまたは複数のビットが使用され得る。
【０１３０】
ＷＵＲモードにあるＷＵＲ  ＳＴＡは、それのＷＵＲデューティサイクルのオンデュレーションの間などにＷＵＰを受信すると１つまたは複数の条件に基づいてウェイクアップし得る。１つのそのような条件は、それが受信している最後のＷＵＲビーコン中に含まれている値とは異なるＢＳＳカウンターの値、またはＷＵＲネゴシエーションプロセス中に示された値とは異なる値、またはそれがＷＵＲモードに入ったときに既存のカウンターから導出された異なる値、「ＡＰがサービスを終了していること」を示す値をＷＵＲビーコンが含んでいることであり得る。別の条件は、それのタイプおよび／もしくはＧＩＤ、アドレス、または他のインジケータによって示されるＡＰがサービスを終了しつつあることをウェイクアップフレームが示すことであり得る。別の条件は、含まれているセキュリティー情報が検証されることであり得る。別の条件は、埋め込まれたＢＳＳＩＤ／ＳＳＩＤが所望のＢＳＳＩＤ／ＳＳＩＤであることであり得る。
【０１３１】
ＷＵＲ  ＳＴＡは、ウェイクアップし得、ＷＵＲプロシージャに従ってそれらのＰＣＲ上でＡＰにＵＬパケットを送り得る。ＷＵＲ  ＡＰは、次いで、ディスアソシエーションフレームを送り得る。一例では、ＷＵＲ  ＡＰは、たとえば、ブロードキャストＭＡＣアドレスと「ＳＴＡリセット」または「ＢＳＳリセット」のための理由コードとを使用してｄｉｓａｓｓｏｃｉａｔｅ．ｒｅｑｕｅｓｔプリミティブを呼び出すことによってすべてのＳＴＡにブロードキャストのディスアソシエーションフレームを送り得る。別の例では、ＷＵＲ  ＳＴＡは、特定のＢＳＳカウンター値によってまたはウェイクアップフレームのタイプによって示され得る「ＢＳＳ終了」または「ＡＰサービス終了」の理由のためにウェイクアップされると、ウェイクアップし、ＷＵＲ  ＡＰにディスアソシエーションフレームを送り得る。さらに別の例では、ＷＵＲ  ＳＴＡは、ウェイクアップした後のタイムアウト後にＡＰから関連付けを解除し得る。
【０１３２】
ＷＵＲ  ＳＴＡは、置き換えＡＰに（再）関連付けることを選定し得、次いで、ＷＵＲパラメーターを確立するためにＷＵＲネゴシエーションを行い、次いで、ＷＵＲ  ＳＴＡは、ＷＵＲモードに入るように要求し得、それのＰＣＲをオフにし得る。
【０１３３】
失われたＷＵＲ  ＡＰの再発見のための一実施形態では、ＡＰの損失は、予想され得、ＥＳＳまたはＧＬＫネットワーク中にあり得る。そのような実施形態では、ＡＰは、それがＥＳＳのメンバーであるので独立して存在しないことになる。ＥＳＳ中のＡＰは、複数のＢＳＳ（ＡＰ）とともに構築されるネットワークの拡張形態の構成要素である。ＢＳＳ（ＡＰ）を相互接続するために使用されるアーキテクチャの構成要素は、配信システム（ＤＳ）である。この追加されたアーキテクチャの構成要素、ＤＳ、により、ＡＰ（ＢＳＳ）が失われることが予想されるときに複数のタイプの回復が可能になり得る。これは、ＡＰがＷＵＲ  ＳＴＡの関連付け、構成、セキュリティーおよび／または任意の他の情報をＤＳに通知することによって可能にされ得る。この通知は、ＷＵＲ  ＳＴＡ関連付けプロセスの部分であり得る。ＤＳおよび／またはＤＳＳおよび／またはＤＳに接続されたコントローラは、次いで、ＷＵＲ  ＳＴＡ構成値、セキュリティー情報、および予想される挙動を追跡し得る。ＤＳまたは接続されたコントローラは、ＥＳＳ構成および失われることが予想されるＡＰについてのそれの知識に基づいて、失われることが予想されるＡＰを透過的にどのように置き換えるのかまたは失われることが予想されるＡＰに関連するＷＵＲ  ＳＴＡをどのように再構成するのかを決定し得る。このプロセスは、ＷＵＲ  ＳＴＡに透過的である方式で行われ得るか、またはＷＵＲ  ＳＴＡをウェイクアップし、それらを選定されたＡＰに再関連付けさせることによって、もしくはＷＵＲ  ＳＴＡが再関連付けるためにＥＳＳ中で新しいＡＰを選定することを可能にすることによって行われ得る。ＤＳおよび／またはＤＳＳおよび／またはＤＳに接続されたコントローラが、ＷＵＲ  ＳＴＡをウェイクし、それがＥＳＳ中にあることもないこともある新しいＡＰに関連付けるように要求することも可能であり得る。
【０１３４】
同様のタイプの回復はまた、それのＧＬＫネットワークの部分としてＷＵＲコントローラを有するＧＬＫ  ＡＰのために実行され得る。そのようなＧＬＫ  ＡＰは、ＷＵＲ  ＧＬＫ  ＳＴＡとＷＵＲ非ＧＬＫ  ＳＴＡとの両方にＷＵＲサービスを与え得る。関連するＷＵＲコントローラは、ＤＳおよび／またはＤＳＳおよび／またはＤＳに接続されたコントローラがそうであるのと同じようにＷＵＲ  ＳＴＡ関連付けパラメーターについての知識を有することになる。関連するＷＵＲコントローラは、それがＷＵＲ機能を与えるためにそれが知識を有する他のＧＬＫ  ＡＰを使用することによって失われるＡＰに関連する各ＷＵＲ  ＳＴＡにＷＵＲサービスを与え得る。
【０１３５】
透過的な回復に加えて、ＤＳおよび／またはＷＵＲコントローラはまた、失われるＡＰに関連付けられたＷＵＲ  ＳＴＡをウェイクアップさせ、ＷＵＲサービスおよびスケジューリングを再確立するためにそれらを別のアクティブなＥＳＳ  ＡＰまたはＧＬＫ  ＡＰに関連付けさせ得る。また、関連するＷＵＲ  ＳＴＡがそれのＷＵＲ機能のうちのいくつかを透過的な方式で与えさせ、いくつかを再関連付けの後でのみ与えさせる部分的に透過的な回復があり得る。
【０１３６】
ＥＳＳの部分であるＡＰとのＷＵＲ  ＳＴＡの関連付けは、ＡＰがＤＳにすべてのＷＵＲ  ＳＴＡ関連付け情報を転送することを必要とし得る。ＷＵＲコントローラを含んでいるネットワークの部分であるＧＬＫ  ＡＰとのＷＵＲ  ＳＴＡの関連付けは、ＧＬＫ  ＡＰがＷＵＲコントローラまたは別のエンティティにすべてのＷＵＲ  ＳＴＡ関連付け情報を転送することを必要とし得る。
【０１３７】
このプロセスの一部として、ＷＵＲ  ＳＴＡに送られたＷＵＲ送信中の制御シグナリングがあり得る。このシグナリングは、周波数帯域情報、新しいＡＰのＭＡＣアドレス、いくつかの潜在的な新しいＡＰのＭＡＣアドレス、ネイバー報告情報、ＡＰビーコンタイミング情報、ＷＵＲビーコンタイミング情報、ＥＳＳ情報、ＢＳＳ情報、および／またはＷＵＲ  ＳＴＡがＥＳＳもしくは異なるＢＳＳに関連付けられ続けることおよび／またはＷＵＲサービスを受信し続けることを可能にする任意の他の情報を含み得る。シグナリングの一部は、ＷＵＲ送信中で送られ得、シグナリングの一部分は、８０２．１１を使用して送られ得るか、またはＷＵＲ送信は、ＷＵＲ  ＳＴＡの関連付けまたは再関連付けを構成／再構成するために８０２．１１無線を使用してシグナリングが実行されるべきであることを示し得る。ＷＵＲ  ＳＴＡに送られたＷＵＲ送信はまた、ＷＵＲ  ＳＴＡが測定を行うかまたはＳＴＡによって認識される特定のもしくは利用可能なＡＰに関する情報を与えることを要求し得る。
【０１３８】
複数のＷＵＲ  ＳＴＡ（または複数のＷＵＲ  ＷＴＲＵ）は、マルチキャストウェイクアップパケットを使用してウェイクアップされ得るようにＷＵＲグループＩＤを用いてＷＵＲウェイクアップグループに分割され得る。複数のパラメーターは、データレート、ウェイクアップチャネル／帯域などのマルチキャストウェイクアップフレームに関連付けられ得る。チャネル状況の変更により、データレート、ウェイクアップチャネル／帯域などは、マルチＳＴＡ  ＷＵＲグループのいくつかのメンバーにもはや好適でないことがある。１つまたは複数の実施形態は、マルチキャストＷＵＲ  ＳＴＡグループをどのように管理し、ＷＵＲ  ＳＴＡグループに更新されたパラメーターをどのように与えるのかに対処するプロシージャを与え得る。これらのプロシージャは、ＷＵＲ  ＡＰによってまたはＷＵＲ  ＳＴＡによって開始され得る。
【０１３９】
一実施形態では、ＷＵＲ  ＡＰは、１つまたは複数のＳＴＡに１つまたは複数のＧＩＤを割り当てることによってこれらのＳＴＡをＷＵＲマルチキャストグループにグループ化し得る。そのようなグルーピングは、ＵＬ  ＭＵ能力、ＯＦＤＭＡ能力、ＵＬ  ＭＵ−ＭＩＭＯ能力、最大ウェイクアップ遅延時間（またはデュレーション）、最小ウェイクアップ遅延時間、残りのデュレーション、残りの遅延、グループ最大（または最小）ＰＣＲ遷移時間、および／または１つもしくは複数のグループ遅延などのＳＴＡの能力のうちの１つまたは複数に基づき得る。グルーピングはまた、ＳＴＡからＡＰまでの距離に基づき得る。ＡＰのより近くに位置するＳＴＡのグループは、より高いデータレートのＷＵＲパケットを使用してウェイクアップされ得る。ＡＰからより遠くに位置するＳＴＡのグループは、より低いデータレートのＷＵＲパケットを使用してウェイクされ得る。ＷＵＰデータレート、チャネル／帯域、デューティサイクルは、（たとえば、ＷＵＲ応答フレーム中で）ＷＵＲネゴシエーションプロセスの部分としてＷＵＲ  ＡＰによってＳＴＡに示され得る。
【０１４０】
ＡＰは、マルチキャストＷＵＲグループ中の１つまたは複数のＳＴＡが１つまたは複数のマルチキャストＷＵＰを使用することによってウェイクアップされていないと決定する場合、ＷＵＲマルチキャストグループ管理プロシージャを開始し得る。
【０１４１】
ＡＰは、１つまたは複数のＳＴＡに１つまたは複数のより低いデータレートのＷＵＰを送り得る。ＡＰは、マルチキャストＷＵＰ中レシーバーＩＤをＳＴＡが属するＧＩＤにまたはブロードキャストＩＤに設定することによってマルチキャストＷＵＰを送り得る。マルチキャストＷＵＰは、各フィールドがウェイクアップされる１つまたは複数のＷＵＲ  ＳＴＡの情報を示す状態で複数のフィールドを含み得る。ＡＰは、ＳＴＡに１つまたは複数のユニキャストＷＵＰを送り得る。ＷＵＰは、ウェイクアップの目的がＷＵＲマルチキャストグループ管理のためのものであるというインジケーションを搬送し得る。
【０１４２】
ＷＵＲ  ＳＴＡは、それ自体のためのインジケーションを含むマルチキャストＷＵＰまたはユニキャストＷＵＰを受信した後にウェイクアップし得る。ウェイクアップした後に、ＳＴＡは、それがアウェイク状態にあることをＡＰに示し得る。
【０１４３】
ＷＵＲ  ＡＰは、他のＷＵＲパラメーター（たとえば、ＷＵＰデータレート、ウェイクアップチャネル、帯域など）を再ネゴシエートしながら、既存のＷＵＲパラメーターを維持するためにＷＵＲモード中断に入るようにＷＵＲ  ＳＴＡに要求し得る。ＷＵＲ  ＡＰは、ＷＵＲモード中断要求、アクションフレーム、またはＷＵＲアクションフレーム中で変更される必要があるパラメーターを示し得る。ＷＵＲ  ＡＰは、新しいデューティサイクル、スリープ時間などとともにＳＴＡに１つまたは複数の新しいＧＩＤを割り当て得る。
【０１４４】
マルチキャストＷＵＲグループ管理とＷＵＲパラメーターのネゴシエーションとの後に、ＷＵＲ  ＳＴＡは、ＷＵＲモードに入るように要求し得、ＷＵＲ  ＡＰから正の応答を受信した後にＷＵＲモードに入り得る。
【０１４５】
一実施形態では、ＷＵＲ  ＡＰは、１つまたは複数のＳＴＡに１つまたは複数のＧＩＤを割り当てることによってこれらのＳＴＡをＷＵＲマルチキャストグループにグループ化し得る。そのようなグルーピングは、ＵＬ  ＭＵ能力、ＯＦＤＭＡ能力、ＵＬ  ＭＵ−ＭＩＭＯ能力、最小ウェイクアップ遅延時間などのＳＴＡの能力のうちの１つまたは複数に基づき得る。グルーピングはまた、ＳＴＡからＡＰまでの距離に基づき得る。ＡＰのより近くに位置するＳＴＡのグループは、より高いデータレートのＷＵＲパケットを使用してウェイクアップされ得る。ＡＰからより遠くに位置するＳＴＡのグループは、より低いデータレートのＷＵＲパケットを使用してウェイクされ得る。ＷＵＰデータレート、チャネル／帯域、および／またはデューティサイクルは、（たとえば、ＷＵＲ応答フレーム中で）ＷＵＲネゴシエーションプロセスの部分としてＷＵＲ  ＡＰによってＳＴＡに示され得る。
【０１４６】
ＷＵＲ  ＳＴＡは、現在のＷＵＲパラメーターがそれ自体にもはや好適でないと決定する場合、ＷＵＲマルチキャストグループ管理プロシージャを開始し得る。そのような決定は、ＷＵＲビーコンの測定に基づくか、または動作モードの変更（たとえば、ＵＬ  ＭＵの有効化もしくは無効化、ＭＵ−ＭＩＭＯを有効化すること、または異なるデューティサイクル、より長い／短いアウェイク時間を要求することなど）に基づき得る。
【０１４７】
ＷＵＲ  ＳＴＡは、ウェイクアップし、次いで、ＳＴＡは、それがアウェイク状態にあることをＡＰに示し得る。ＷＵＲ  ＳＴＡは、他のＷＵＲパラメーター（たとえば、ＷＵＰデータレート、ウェイクアップチャネル、帯域など）を再ネゴシエートしながら、既存のＷＵＲパラメーターを維持するためにＷＵＲモード中断に入るように要求することによってマルチキャストＷＵＲグループ管理プロシージャを開始し得る。ＷＵＲ  ＳＴＡは、ＷＵＲモード中断要求またはＷＵＲアクションフレーム中で変更される必要があるパラメーターを示し得る。ＷＵＲ  ＡＰは、新しいデューティサイクル、スリープ時間などとともにＳＴＡに１つまたは複数の新しいＧＩＤを割り当て得る。
【０１４８】
マルチキャストＷＵＲグループ管理とＷＵＲパラメーターのネゴシエーションとの後に、ＷＵＲ  ＳＴＡは、ＷＵＲモードに入るように要求し得、ＷＵＲ  ＡＰから正の応答を受信した後にＷＵＲモードに入り得る。
【０１４９】
上記で説明されたように、セルラーまたは８０２．１１ｂａネットワークなどのワイヤレスネットワークでは、いくつかのＳＴＡをウェイクアップするためにマルチキャストウェイクアップフレームが使用され得る。詳細には、複数のＳＴＡを確実にウェイクアップするために、いくつかのウェイクアップフレームが使用され得る。しかしながら、これは、異なるＳＴＡのためのウェイクアップのタイミングを異ならせ、それによって、ＵＬ  ＭＵ能力が利用されないことがあるので場合によっては非効率を作成し得る。たとえば、ＳＴＡがほぼ同様の時間にウェイクアップされるとき、媒体において輻輳があり得る。１つまたは複数の実施形態は、複数のＳＴＡが確実にウェイクし、それらのアップリンクパケットを効率的に送信し得ることを保証するために効率的なマルチＳＴＡウェイクアップおよび後続のＵＬメディアアクセスのためのプロシージャに対処し得る。
【０１５０】
ＭＵ能力ベースのＷＵＲグルーピングおよびウェイクアップのための一実施形態では、ＡＰは、ＷＵＲ動作のために１つまたは複数のＳＴＡを一緒にグループ化し得る。一例の例において、ＡＰは、アップリンク（ＵＬ）またはダウンリンク（ＤＬ）などのＳＴＡ能力に基づいてそれらをグループ化し得る。たとえば、ＵＬ  ＭＵトリガーベースの（ＴＢ）アクセス（ＵＭＴＡ）送信をサポートするＳＴＡは、１つのグループとして一緒にグループ化され得る。ＵＭＴＡおよび／またはＵＬ  ＯＦＤＭＡベースのランダムアクセス（ＵＯＲＡ）送信をサポートするＳＴＡは、別のグループとして一緒にグループ化され得る。トリガーされたアップリンクアクセス（ＴＵＡ）送信をサポートするＳＴＡは、別のグループとして一緒にグループ化され得る。ＤＬ／ＵＬ多元接続を実行することも可能でないレガシーＳＴＡは、別のグループとして一緒にグループ化され得る。
【０１５１】
一例では、１つまたは複数のＷＵＲグループＩＤ（ＧＩＤ）は、ＳＴＡのこれらのグループのために予約され得る。たとえば、ＡＰは、ＵＭＴＡ利用可能なグループのためにＮ１  ＷＵＲ  ＧＩＤを、ＵＭＴＡ／ＵＯＲＡ利用可能なグループのためにＮ２  ＷＵＲ  ＧＩＤを、レガシーグループのためにＮ３  ＷＵＲ  ＧＩＤを割り当て得る。別の例では、ＡＰは、ＵＭＴＡ利用可能なグループのために範囲中のすべてのＧＩＤを、ＵＭＴＡ／ＵＯＲＡ利用可能なグループのために第２の範囲中のすべてのＧＩＤを、レガシーグループのために第３の範囲中のすべてのＧＩＤを予約し得る。各グループおよび／またはＧＩＤ範囲のために割り当てられたいくつかのＧＩＤは、あらかじめ決定されているか、あらかじめ定義されているか、または構成可能であり得る。ＧＩＤ範囲が構成可能であり得る場合、構成は、ビーコンフレームおよび（再）関連付けフレームなどの管理フレーム、制御フレーム、アクションフレームまたは他のタイプの制御／管理／アクションフレーム中でＡＰによって告知され得る。
【０１５２】
これらのＧＩＤのうちの１つを割り当てることによって、ＳＴＡは、グループ中のユーザーのすべてがＭＵ能力を有することも有しないこともあることに気づき得る。さらに、ＳＴＡがＷＵＲ  ＧＩＤを用いてＷＵＲフレームによってウェイクアップされるとき、ＳＴＡは、ＧＩＤの範囲をチェックし、グループ能力に基づいて対応するチャネルアクセス方式を実行し得る。本明細書で使用されるＷＵＲ  ＧＩＤおよびＧＩＤという用語は、本開示全体にわたって互換的に使用され得る。
【０１５３】
図４は、本明細書で述べられる他の実施形態のいずれかと組み合わせて使用され得る、暗黙的ＭＵ利用可能なグループインジケーションを用いる例示的なＳＴＡプロシージャ４００を示す。ＷＵＲモードに入る前に、ＷＵＲネゴシエーション／構成プロシージャの間にＡＰによって、ＳＴＡに１つまたは複数のＷＵＲ  ＧＩＤが割り当てられ得る。ＳＴＡがＷＵＲモードにある間、ステップ４０５でＳＴＡは、ＷＵＲ  ＧＩＤを有するユニキャスト／ブロードキャスト／マルチキャストＷＵＲフレームを受信することがあり得る。このＷＵＲ  ＧＩＤを有するＷＵＲフレームは、ＷＵＲ  ＳＴＡのグループをウェイクアップすることがあり得る。たとえば、ＧＩＤがグループ内のＳＴＡに割り当てられるならば、ステップ４１０でＳＴＡは、ＰＣＲに切り換えることがあり得る。ステップ４１５でＳＴＡは、ＷＵＲ  ＧＩＤをチェックすることがあり得る。
【０１５４】
ステップ４２０で、ＷＵＲ  ＧＩＤがＵＭＴＡ利用可能なＷＵＲグループの範囲内である場合、ステップ４２５でＳＴＡは、ＰＣＲチャネルを監視し、ＵＬ  ＯＦＤＭＡ送信またはＵＬ  ＭＵ−ＭＩＭＯ送信をトリガーするためのトリガーフレームを待つことがあり得る。トリガーフレームは、ＷＵＲからＰＣＲに丁度切り換えられたＳＴＡが、機会を使用して送信し得ることを示すことがあり得る。トリガーフレームは、この情報を専用のＳＴＡに含め得る。ＳＴＡは、割り振られたリソースを使用して、ＵＬ  ＯＦＤＭＡ送信またはＵＬ  ＭＵ−ＭＩＭＯ送信を行うことがあり得る。
【０１５５】
ステップ４３０で、ＷＵＲ  ＧＩＤがＵＭＴＡ／ＵＯＲＡ利用可能なＷＵＲグループの範囲内である場合、ステップ４３５でＳＴＡは、ＰＣＲチャネルを監視し、ＵＬ  ＯＦＤＭＡ／ＭＵ−ＭＩＭＯ送信をトリガーするためのトリガーフレームを待つことがあり得る。トリガーフレームは、ＷＵＲからＰＣＲに丁度切り換えられたＳＴＡが、機会を使用して送信し得ることを示すことがあり得る。トリガーフレームは、情報を専用のＳＴＡ、および／またはランダムにアクセスされるアップリンク送信のためのリソース割当てに含め得る。ＳＴＡは、専用の割り振られたリソースを使用して、ＵＬ  ＯＦＤＭＡ／ＭＵ−ＭＩＭＯ送信を行うことがあり得る。ＳＴＡが専用の割当てを見出さなかった場合、トリガーフレームは、ＵＯＲＡ送信のための割当てを（たとえば、ＡＩＤ１２値を０に設定することにより）有することがあり得り、ここでＳＴＡは、ランダムアクセスプロシージャに基づいてＵＬ  ＯＦＤＭＡを行って、１つまたは複数の割り当てられたＲＵ上で送信することがあり得る。一例において、このグループに対してＵＭＴＡ動作は省かれ得る。
【０１５６】
ステップ４４０で、ＷＵＲ  ＧＩＤがレガシーＷＵＲグループの範囲内である場合、ステップ４４５でＳＴＡは、ＰＣＲチャネルを監視し、ＥＤＣＡ／ＣＡチャネルアクセスプロシージャを行ってＡＰに、ＳＴＡはアウェイクであることを通知することがあり得る。本明細書で述べられるトリガーフレームは、リソースを割り振り、１つまたは複数のＴＢ  ＰＰＤＵ送信を求めることがあり得る。トリガーフレームはまた、ＴＢ  ＰＰＤＵを送るために、応答するＳＴＡによって必要とされる他の情報を搬送することもあり得る。トリガーフレームのためのフレームフォーマットは、フレーム制御、デュレーション、ＲＡ、ＴＡ、共通情報、１つまたは複数のユーザー情報、パッディング、またはＦＣＳフィールドを含み得るが、それらに限定されない。
【０１５７】
一実施形態において、グループ化プロシージャはＭＵ能力に基づくことがあり得る。ＷＵＲフレームにおいて、ＰＣＲ動作インジケーション（ＰＯＩ）フィールドが含められ得る。このフィールドは、ＵＭＴＡ動作か、それともＵＯＲＡ動作か、それともレガシーチャネルアクセスかが予想され得るかを示すことがあり得る。図５は、本明細書で述べられる他の実施形態のいずれかと組み合わせて使用され得る、明示的ＰＯＩを用いる例示的なＳＴＡプロシージャ５００を示す。
【０１５８】
図５の例示的なプロシージャにおいて、ＷＵＲネゴシエーション／構成プロシージャの間にＡＰによって、ＳＴＡに１つまたは複数のＷＵＲ  ＧＩＤが割り当てられ得る。ステップ５０５で、ＳＴＡはＷＵＲ  ＧＩＤを有するブロードキャスト／マルチキャストＷＵＲフレームを受信することがあり得る。ＧＩＤがＳＴＡに割り当てられることがあり得るならば、ステップ５１０でＳＴＡは、ＰＣＲに切り換えることがあり得る。ステップ５１５でＳＴＡは、ＷＵＲフレームに含まれるＰＯＩをチェックすることがあり得る。
【０１５９】
ステップ５２０で、ＵＭＴＡ送信が予想され得ることをＰＯＩが示す場合、ステップ５２６でＳＴＡは、ＰＣＲチャネルを監視し、ＵＬ  ＯＦＤＭＡ送信またはＵＬ  ＭＵ−ＭＩＭＯ送信をトリガーするためのトリガーフレームを待つことがあり得る。トリガーフレームは、このフレームはＷＵＲからＰＣＲに切り換えるようにＳＴＡをトリガーするために使用され得ることを示すことがあり得る。トリガーフレームは、情報を専用のＳＴＡに含め得る。ＳＴＡは、割り振られたリソースを使用して、ＵＬ  ＯＦＤＭＡ送信またはＵＬ  ＭＵ−ＭＩＭＯ送信を行うことがあり得る。
【０１６０】
ステップ５３０で、ＵＭＴＡ／ＵＯＲＡ送信が予想され得ることをＰＯＩが示す場合、ステップ５３５でＳＴＡは、ＰＣＲチャネルを監視し、ＵＬ  ＯＦＤＭＡ／ＭＵ−ＭＩＭＯ送信をトリガーするためのトリガーフレームを待つことがあり得る。トリガーフレームは、ＷＵＲからＰＣＲに切り換えるようにＳＴＡをトリガーするために、このフレームが使用され得ることを示すことがあり得る。トリガーフレームは、情報を専用のＳＴＡ、および／またはランダムにアクセスされるアップリンク送信のためのリソース割当てに含めることがあり得る。ＳＴＡは、専用の割り当てられたリソースを使用して、ＵＬ  ＯＦＤＭＡ／ＭＵ−ＭＩＭＯ送信を行うことがあり得る。
【０１６１】
ＳＴＡが専用の割当てを見出さなかったならば、トリガーフレームは、ＵＯＲＡ送信のための割当てを（たとえば、ＡＩＤ１２値を０に設定することにより）有することがあり得り、ここでＳＴＡは、ランダムアクセスプロシージャに基づくＵＬ  ＯＦＤＭＡを行って、１つまたは複数の割り振られたＲＵ上で送信することがあり得る。
【０１６２】
ステップ５４０で、レガシー送信が予想されることをＰＯＩが示す場合、ステップ５４５でＳＴＡは、ＰＣＲチャネルを監視し、ＥＤＣＡ／ＣＡチャネルアクセスプロシージャを行ってＡＰに、ＳＴＡはアウェイクであることを通知することがあり得る。
【０１６３】
本明細書で論じられるように、ＵＭＴＡ利用可能なグループと、ＵＯＲＡ利用可能なグループとが存在し得る。代替または追加の例において、２つのグループはＭＵ利用可能なグループにマージされ得る。たとえば、ＭＵ利用可能なグループによってウェイクアップされたＳＴＡは、ＰＣＲを監視し、トリガーフレームを待つ必要があり得る。
【０１６４】
本明細書で論じられるように、ＭＵ利用可能なグループ（ＵＭＴＡおよびＵＯＲＡを含む）が存在することができ、それらは、ＭＵ  ＵＬアクセスを行うためのトリガーフレームを待つ必要があり得ることに留意されたい。別の例において、ＭＵ利用可能なＳＴＡ（ＵＭＴＡおよびＵＯＲＡを含む）は、トリガーフレームに対する固定のデュレーションの間、媒体を監視することが可能にされ得る。デュレーションが満了する、およびトリガーフレームが受信されないとすぐに、ＳＴＡは、従来型のＥＤＣＡ／ＣＡチャネルアクセスを行うことが可能にされ得る。固定のデュレーションは、ＭＵ利用可能なＳＴＡに対するＭａｘｉｍｕｍ＿Ｔｒｉｇｇｅｒ＿Ｗａｉｔｉｎｇ＿Ｄｕｒａｔｉｏｎと呼ばれ得る。固定のデュレーションは、あらかじめ定義され、またはあらかじめ決定され、または構成可能とすることがあり得る。デュレーションが構成可能となり得る場合において、構成は、ビーコンフレーム、（再）関連付けフレーム、または他のタイプの制御／管理／アクションフレーム内に存在することがあり得る。
【０１６５】
図６は、本明細書で述べられる他の実施形態のいずれかと組み合わせて使用され得る、１つまたは複数のグループ遅延に基づく、マルチＳＴＡウェイクアップおよびアップリンク（ＵＬ）マルチユーザ（ＭＵ）メディアアクセスのための例示的なプロシージャ６００を示す。上述のように、複数のＳＴＡは一緒にグループ化されることができ、ＳＴＡの能力に基づいて、ＡＰによってグループＩＤ（たとえば、ＷＵＲ  ＧＩＤ）が割り当てられ得る。ＷＵＲネゴシエーション／構成プロシージャが完了した後、ＳＴＡのグループは、それらのそれぞれのネゴシエートされたパラメーターに基づいてＷＵＲモードに入ることがあり得る。ＳＴＡのグループがＷＵＲモードにある間、グループ内の各ＳＴＡは、ＳＴＡのＧＩＤと一致するＷＵＲ  ＧＩＤを含む、１つまたは複数のユニキャスト／ブロードキャスト／マルチキャストＷＵＲフレーム６０５、６１０、６１５を受信することがあり得る。たとえば、グループ内の第１のＳＴＡはＷＵＲフレーム１  ６０５を受信することができ、グループ内の第２のＳＴＡはＷＵＲフレーム２  ６１０を受信することがあり得る。グループ内のＮ番目のＳＴＡは、ウェイクアップするためのＷＵＲフレーム３  ６１５を受信することがあり得る。ＷＵＲフレーム６０５、６１０、６１５は同じとすることができ、ウェイクアップの信頼性を確実にするためにＳＴＡのグループに繰り返して送信され得る。
【０１６６】
ＷＵＲフレーム６０５、６１０、６１５は、グループ内の各ＳＴＡに対してＡＰによって示される残りのＷＵＲデュレーション６４０、６４５（または残りのＷＵＲ遅延）を含むことがあり得る。たとえば、グループ内の第１のＳＴＡに送信されるＷＵＲフレーム１  ６０５は、残りのＷＵＲデュレーション６４０として１０ｍｓを含むことができ、グループ内の第２のＳＴＡに送信されるＷＵＲフレーム２  ６１０は、残りのＷＵＲデュレーション６４５として５ｍｓを含むことがあり得る。グループ内のＮ番目のＳＴＡに送信されるＷＵＲフレーム３  ６１５は、残りのＷＵＲデュレーションとして０ｍｓを含むことがあり得る。グループ内のＳＴＡが、残りのＷＵＲデュレーション６４０、６４５を含むＷＵＲフレーム６０５、６１０、６１５を受信した後、ＳＴＡは、残りのデュレーション６４０、６４５が満了するまで、ＷＵＲモードからウェイクアップしないことがあり得る。たとえば、グループ内の第１のＳＴＡは、第１のＳＴＡがそれのＰＣＲ構成要素をオンにするまで１０ｍｓ待機することがあり得る。グループ内の第２のＳＴＡは、グループ内の第２のＳＴＡがそれのＰＣＲ構成要素をオンにするまで５ｍｓ待機することがあり得る。グループ内のＮ番目のＳＴＡは、受信された残りのＷＵＲデュレーションが０ｍｓ（すなわち遅延なし）を示すので、待機しなくてよい。各ＳＴＡに対するウェイクアップタイミングを整列させる、またはグループ内のＳＴＡのＰＣＲ構成要素をほぼ同時にオンにすることによって、ＳＴＡ、特にグループ内の第１および第２のＳＴＡは、エネルギーを節約することができ、なぜなら第１および第２のＳＴＡは、グループ内のｎ番目のＳＴＡがウェイクアップする（またはＰＣＲをオンにする）準備が整うまで、ウェイクアップする（またはＰＣＲをオンにする）必要がないからである。本明細書で使用される残りのＷＵＲデュレーション、残りのＷＵＲ遅延、残りのデュレーション、残りの遅延という用語、またはそれらの任意の組合せは、本開示の全体にわたって互換的に使用され得る。
【０１６７】
グループ内のＳＴＡがＰＣＲ構成要素をオンにした後、ＳＴＡはトリガーフレームの受信を確実にするためにタイマーを開始することがあり得る。たとえば、ＳＴＡは、ＳＴＡがトリガーフレーム６２０を受信しない限り、最大グループウェイクアップ遅延６５０（または最大グループウェイクアップデュレーション）が満了するまで、タイマーを稼働させることがあり得る。たとえば、タイマーが満了していない（すなわちタイマーが、最大グループウェイクアップ遅延６５０以下である）ときにＳＴＡがトリガーフレーム６２０を受信した場合、ＳＴＡは、図６に示されるようにＵＬパケットＳＴＡ  １  ６２５、ＵＬパケットＳＴＡ  Ｎ−１  ６３０、およびＵＬパケットＳＴＡ  Ｎ  ６３５などのＵＬパケットを送信することがあり得る。最大グループウェイクアップ遅延６５０は、ネゴシエーション／構成プロシージャの間にＡＰから受信され得る。本明細書で使用される最大グループウェイクアップ遅延、最大グループウェイクアップデュレーション、最大トリガー待機遅延、最大トリガー待機デュレーション、グループウェイクアップ遅延、グループウェイクアップデュレーションという用語、またはそれらの任意の組合せは、本開示の全体にわたって互換的に使用され得る。
【０１６８】
残りのＷＵＲデュレーション６４０、６４５、および最大グループウェイクアップ遅延６５０は、ＳＴＡをウェイクアップする、およびトリガーフレームを受信するための、単一のデュレーションまたは遅延を形成し得ることが留意されるべきである。単一のデュレーションまたは遅延は、ネゴシエーション／構成プロシージャの間にＡＰによって決定されることができ、またはＷＵＲモードの前もしくはその間にＳＴＡによって決定され得る。たとえば、ＳＴＡは、ＳＴＡまたはＡＰによって決定された１つまたは複数のグループ遅延を含む、ＷＵＲフレームまたはＰＣＲフレームを受信し、ウェイクアップするための１つまたは複数のグループ遅延を稼働させ、ＵＬ  ＭＵメディアアクセスを開始するためのトリガーフレームを受信することがあり得る。１つまたは複数の遅延は、残りの遅延、残りのデュレーション、グループ最大（または最小）ウェイクアップ遅延、グループ最大（または最小）ウェイクアップデュレーションなどと互換的に呼ばれ得る。
【０１６９】
トリガーフレームは、ＷＵＲからＰＣＲに切り換えるＳＴＡに対するＭＵアクセスをトリガーするために使用され得る。ＷＵＲにおけるいくつかのシナリオにおいて、ユニキャスト／ブロードキャスト／マルチキャストウェイクアップフレームは、グループ内のすべてのＳＴＡをウェイクアップすることができない場合があり、複数のウェイクアップフレームが送信され得る。それに対応してＰＣＲにおいて、グループ内のウェイクされているＳＴＡのサブセットをトリガーするために、複数のトリガーフレームが必要になり得る。トリガーフレーム内のフィールドは、丁度ＷＵＲからＰＣＲに入ったＳＴＡをトリガーするために、トリガーフレームが使用され得ることを示すことがあり得る。たとえば、トリガータイプフィールドはＷＵＲトリガーを示すために使用され得る。このトリガーフレームは、ＷＵＲトリガーフレームと呼ばれ得る。ＳＴＡは、ＷＵＲトリガーに応答してＴＢ送信を行うことがあり得る。ＳＴＡが、ＴＢ送信に対する肯定応答を受信し得る場合、ＳＴＡは後に送信されるＷＵＲトリガーフレームに応答しなくてもよい。
【０１７０】
図７は、本明細書で述べられる他の実施形態のいずれかと組み合わせて使用され得る、ＷＵＲトリガーフレームを用いる例示的なＳＴＡプロシージャ７００を示す。ステップ７０５で、ＳＴＡは、ＷＵＲを通してユニキャスト／マルチキャスト／ブロードキャストＷＵＲフレームを受信することがあり得る。ＳＴＡは、ＷＵＲフレームの意図された受信器とすることがあり得る。ＷＵＲフレームは、ＳＴＡがＰＣＲにおいてＷＵＲトリガーフレームを受信することを予想し得ることを、明示的または暗黙的に示すことがあり得る。ステップ７１０で、ＳＴＡはＰＣＲに切り換え、トリガーフレームを待つことがあり得る。ステップ７１５で、ＳＴＡはタイマーを開始する、またはタイマーを使用し続けることがあり得る。
【０１７１】
ステップ７２０で、タイマーがＭａｘｉｍｕｍ＿Ｔｒｉｇｇｅｒ＿Ｗａｉｔｉｎｇ＿Ｄｕｒａｔｉｏｎ以下であるときに、ＳＴＡがＷＵＲトリガーフレームを受信したとき、ステップ７２５でＳＴＡは、ＵＭＴＡまたはＵＯＲＡ送信を行うことがあり得る。
【０１７２】
ステップ７３０で、ＳＴＡが肯定応答の受信に成功した場合、ステップ７４０でＳＴＡは、ＷＵＲトリガーフレームの監視を停止することがあり得る。より具体的には、ＳＴＡは後にＵＯＲＡを行うようにトリガーされ得ない。ＳＴＡはまた、タイマーを停止させることがあり得る。
【０１７３】
ステップ７３０で、ＳＴＡが肯定応答の受信に成功しなかった場合、ＳＴＡは、タイマーがＭａｘｉｍｕｍ＿Ｔｒｉｇｇｅｒ＿Ｗａｔｉｎｇ＿Ｄｕｒａｔｉｏｎ以下であることを条件として、ステップ７４０でＳＴＡがＷＵＲトリガーフレームを受信するまでさらに待機することがあり得る。タイマーが満了した（またはタイマーがＭａｘｉｍｕｍ＿Ｔｒｉｇｇｅｒ＿Ｗａｔｉｎｇ＿Ｄｕｒａｔｉｏｎより大きい）場合、ＳＴＡは通常のＰＣＲ動作（たとえば、ステップ７４５でＥＤＣＡ／ＣＡ）を行うことがあり得る。代替としてまたは追加として、ＳＴＡが肯定応答の受信に成功しなかった場合、ＳＴＡはタイマーを継続させ、ＷＵＲトリガーフレームを監視することがあり得る（すなわちステップ７１５および／または７２０に戻る）。
【０１７４】
ステップ７２０で、タイマーがＭａｘｉｍｕｍ＿Ｔｒｉｇｇｅｒ＿Ｗａｉｔｉｎｇ＿Ｄｕｒａｔｉｏｎ以下である、またはＭａｘｉｍｕｍ＿Ｔｒｉｇｇｅｒ＿Ｗａｉｔｉｎｇ＿Ｄｕｒａｔｉｏｎ内であるときに、ＳＴＡがＷＵＲトリガーフレームを受信しなかった場合、ステップ７４５でＳＴＡは、ＥＤＭＡ／ＣＡチャネルアクセスを行うことが可能にされ得る。一方、ＳＴＡは、後に送信されるＷＵＲトリガーフレームによってトリガーされ得る。ＳＴＡはタイマーを停止させることがあり得る。
【０１７５】
別の例において、１つまたは複数のＷＵＲ  ＳＴＡをウェイクアップするために複数のウェイクアップフレームが使用される場合、ウェイクアップフレームは、ウェイクアップフレームの残りの数、残りのウェイクアップフレームの数、および／またはＳＴＡの同じグループに対してウェイクアップフレームを送信するための残り時間を含むことがあり得る。グループ内のすべてのＳＴＡがウェイクアップされ得ることを保証するために、いくつかのウェイクアップフレームが使用され得る。ＳＴＡの同じグループに対してウェイクアップフレームを送信するための残りの数または時間は、現在のウェイクアップフレームの単位での、または高データレートウェイクアップフレームの単位でのものとすることがあり得る。このようなウェイクアップフレームのシーケンスは、同じまたは異なるレートを使用し得る。このようなウェイクアップフレームのシーケンスは、１つのレガシー２０ＭＨｚ帯域ヘッダ、およびＷＵＲマークアップを用いて、連続して送信され得る。ウェイクアップフレームはまた、異なるチャネルを通して送信され得る。追加として、グループ最大または最小ウェイクアップ遅延が、グループに対して定義され、およびＧＩＤに関連付けられることができ、ＷＵＲネゴシエーションプロセスにおいて（たとえば、ＷＵＲ応答フレーム内で）、ＷＵＲ  ＳＴＡに対して示され得る。このようなグループ最大または最小ウェイクアップ遅延の決定は、能力交換においてＷＵＲ  ＳＴＡからＡＰに与えられる最小ウェイクアップ遅延情報に基づいて行われ得る。ＰＣＲ上のＳＴＡのグループに対してトリガーフレームを送信するためのターゲット時間は、残りのＷＵＰおよびグループの最大または最小ウェイクアップ遅延を送信するために使用される間隔の終端またはその近くに予想され得る。
【０１７６】
別の例において、ＷＵＲ  ＡＰは、最初にＧＩＤのみを含んだマルチキャストＷＵＰを、そのＧＩＤに関連付けられたＳＴＡのグループのあらゆるメンバーに送出することがあり得る。ＧＩＤ、アドレスフィールド、および／またはマルチキャストＷＵＰにおける任意の他のフィールドは、それが初期または「全体集合（whole set）」マルチキャストＷＵＰ送信であることを示すことがあり得る。それが関連付けられたＧＩＤへの初期または「全体集合」マルチキャストＷＵＰアドレシングを受信したすべてのＷＵＲ  ＳＴＡは、ウェイクアップし、それがアウェイク状態であることをＡＰに警告することがあり得る。ＷＵＲ  ＡＰが、マルチキャストＷＵＰの再送信におけるなどの、マルチキャストＷＵＰにおいて、ＳＴＡのサブセットのみにアドレシングしたい場合、またはＷＵＲ  ＡＰがマルチキャストＷＵＲ  ＳＴＡグループ内のＳＴＡのサブセットのみをウェイクアップしたい場合、それはブロードキャストアドレスにアドレシングされ得るマルチキャストＷＵＰを送り、ＡＰがウェイクアップさせたい個別のＳＴＡ  ＩＤ（たとえば、ＷＩＤ）のリストを含めることがあり得る。別の例において、ＷＵＲ  ＡＰは、ＳＴＡのグループのＧＩＤにアドレシングされたマルチキャストＷＵＰを送ることができ、ＡＰがウェイクアップさせたい個別のＳＴＡ  ＩＤ（たとえば、ＷＩＤなど）のリストを含めることがあり得る。ＷＵＰは、マルチキャストＷＵＰは再送信である旨、および／またはそれがＧＩＤまたはブロードキャストアドレスに関連付けられたＳＴＡのサブセットをウェイクアップするためのものである旨のインジケーションを、アドレスフィールドまたは任意の他のフィールドにおいて搬送することがあり得る。ＷＵＲ  ＳＴＡが、ブロードキャストアドレス、またはそれが関連付けられたＧＩＤにアドレシングされたＷＵＰを受信し、それが「サブセットウェイクアップ」または「マルチキャストＷＵＰ再送信」のインジケーションを検出したとき、それはさらに、それの個別のＩＤ（たとえば、ＷＩＤ）がマルチキャストＷＵＰ内に含まれるかどうかを調べるために、ＷＵＰを復号することがあり得る。それのＩＤが含まれる場合、ＷＵＲ  ＳＴＡはウェイクアップし、それがアウェイク状態にあることをＡＰに警告することがあり得る。そうでなければ、ＷＵＲ  ＳＴＡはウェイクアップしないことがあり得る。
【０１７７】
一例において、グループＩＤに関連付けられたグループに対して、グループ最大ウェイクアップ遅延またはグループ最大ＰＣＲ遷移時間が定義され得る。このグループ最大ＰＣＲ遷移時間は、ＷＵＲ  ＡＰからのＷＵＲパラメーターフィールド内に含められることができ、これは、ＷＵＲモード要素、またはＡＰから非ＡＰ  ＳＴＡに送られるＷＵＲモードセットアップフレームなどの、ＷＵＲアクションフレームに含まれ得る任意の他の要素の、一部とすることがあり得る。
【０１７８】
図８は、本明細書で述べられる他の実施形態のいずれかと組み合わせて使用され得る、ＷＵＲモード要素の例示的なグループＩＤリストサブフィールド８００を示す。図８に示されるように、グループＩＤリストサブフィールド８００は、グループＩＤビットマップサイズ８０５、開始グループＩＤ８１０、グループＩＤビットマップ８１５、グループ１最大ＰＣＲ遷移時間８２０、およびグループＮ最大ＰＣＲ遷移時間８２５を含み得るが、それらに限定されない。Ｎ個のグループＩＤに対するメンバーシップが、グループＩＤビットマップサブフィールド８１５において特定のＳＴＡに対して示される場合、グループ最大ＰＣＲ遷移時間８２０、８２５のＮ個のサブフィールドは、同じグループＩＤリストサブフィールド８００内に含められることができ、または、同じＷＵＲアクションフレームにおいて受け入れるように設定された応答ステータスを有するＷＵＲモードセットアップフレームなどのＷＵＲアクションフレーム内に含められ得る、ＷＵＲモード要素内など、同じ要素内に含められ得る。グループＩＤ、またはＧＩＤによって識別されるグループに対する、グループ最大ＰＣＲ遷移時間８２０、８２５は、同じグループ内のすべての非ＡＰ  ＳＴＡによって与えられるすべてのＰＣＲ遷移時間を使用して、ＡＰによって決定され得る。
【０１７９】
図９は、本明細書で述べられる他の実施形態のいずれかと組み合わせて使用され得る、グループ最大ＰＣＲ遷移時間９１０の存在を示すＷＵＲパラメーター制御フィールドの例示的なフレームフォーマット９００を示す。図９に示されるように、ＷＵＲモード要素内のＷＵＲパラメーター制御フィールドは、グループＩＤリスト存在（group ID list present）９０５と、グループ最大ＰＣＲ遷移時間存在（group max PCR transition time present）９１０と、予約済みサブフィールド９１５とを含み得る。グループ最大ＰＣＲ遷移時間は、ＡＰによって非ＡＰ  ＳＴＡに与えられ得る。たとえば、ＡＰは、グループ最大ＰＣＲ遷移時間が、ＷＵＲモード要素内のＷＵＲパラメーター制御フィールドを使用して含まれているかどうかのインジケーションを含み得る。
【０１８０】
グループ最大ＰＣＲ遷移時間存在サブフィールド９１０は、グループ最大ＰＣＲ遷移時間サブフィールドが、後続のＷＵＲパラメーターフィールド内に存在する場合、１に設定され得る。そうでない場合、それは０に設定され得る。一例において、グループ最大ＰＣＲ遷移時間サブフィールドのための１つまたは複数のフォーマットを示すために、２つ以上のビットが使用され得る。たとえば、値「０」は、グループ最大ＰＣＲ遷移時間が存在しないことを示し得る。値「１」は、フォーマット１のグループ最大ＰＣＲ遷移時間サブフィールドが、後続のＷＵＲパラメーターフィールド内に含まれることを示し得る。値「ｎ」は、フォーマットｎのグループ最大ＰＣＲ遷移時間サブフィールドが、後続のＷＵＲパラメーターフィールド内に含まれることを示し得る。
【０１８１】
図１０は、本明細書で述べられる他の実施形態のいずれかと組み合わせて使用され得る、ＷＵＲモード要素の例示的なＷＵＲパラメーターフィールド１０００を示す。図１０に示されるように、ＷＵＲ  ＡＰからのＷＵＲパラメーターフィールドフォーマットは、ＷＵＲ  ＩＤ１００５、ＷＵＲチャネルオフセット１０１０、予約済みサブフィールド１０１５、ＷＵＲデューティサイクルの開始時間１０２０、グループＩＤリスト１０２５、およびグループ最大ＰＣＲ遷移時間サブフィールド１０３０を含み得るが、それらに限定されない。グループ最大ＰＣＲ遷移時間サブフィールド１０３０は、ＷＵＲパラメーターフィールドに直接、またはグループＩＤリストサブフィールドのサブフィールドとして含められ得る。
【０１８２】
グループ最大ＰＣＲ遷移時間サブフィールド１０３０は、ＳＴＡに割り当てられたグループＩＤの１つまたは複数に対するグループ最大ＰＣＲ遷移時間を示し得る。グループ最大ＰＣＲ遷移時間サブフィールド１０３０は、ＷＵＲパラメーター制御フィールドのグループ最大ＰＣＲ遷移時間存在サブフィールド１０１０が１に設定されると存在し得る。
【０１８３】
図１１は、本明細書で述べられる他の実施形態のいずれかと組み合わせて使用され得る、フォーマット１の例示的なグループ最大ＰＣＲ遷移時間サブフィールド１１００を示す。図１１に示されるように、フォーマット１のグループ最大ＰＣＲ遷移時間サブフィールド１１００は、グループＩＤビットマップ１１０５と、グループ１最大ＰＣＲ遷移時間１１１０と、グループＮ最大ＰＣＲ遷移時間とを含み得る。グループＩＤビットマップ１１０５は、グループＩＤリスト内のグループＩＤビットマップと同じサイズのものとすることがあり得る。ビット「１」は、グループ最大ＰＣＲ遷移時間サブフィールド１１１０、１１１５が、グループＩＤビットマップに後続して存在することを示し得る。各グループに対するグループ最大ＰＣＲ遷移時間１１１０、１１１５の順序は、グループＩＤビットマップサブフィールド１１０５内のビット「１」の順序に従い得る。
【０１８４】
別の例において、グループＩＤビットマップ１１０５は、グループ遅延ビットマップと名付けられ得る。グループ遅延ビットマップは、グループＩＤリストサブフィールド内のグループＩＤビットマップと同じサイズを有することができ、最大グループＰＣＲ遷移遅延が、最大グループ遅延リストフィールド内のグループＩＤに対してもたらされるかどうかを示すことがあり得る。グループ遅延ビットマップ内のビット位置「ｎ」は、グループＩＤリストサブフィールド内のグループＩＤビットマップにおけるビット位置「ｎ」に、したがって（ＳＧＩＤ＋ｎ）に等しいグループＩＤに対応し得る。グループ遅延ビットマップ内のビットは、グループＩＤリストサブフィールド内のグループＩＤビットマップにおける対応するビットが０に設定されている場合、１に設定されることはできない。グループ遅延ビットマップ内のビットは、最大グループＰＣＲ遷移遅延が、最大グループ遅延リストフィールド内の対応するグループＩＤに対してもたらされることを示すように、１に設定され得る。グループ遅延ビットマップフィールド内で１に設定されたビットの総数は、最大グループ遅延リストサブフィールドに含まれた最大グループＰＣＲ遷移遅延フィールドの数を示し得る。
【０１８５】
最大グループ遅延リストサブフィールドは、１つまたは複数の最大グループＰＣＲ遷移フィールドを含むことがあり得る。最大グループＰＣＲ遷移フィールドは、複数のビット（たとえば、８ビット）を有し得る。
【０１８６】
ｎ番目の最大グループＰＣＲ遷移遅延フィールドは、グループ遅延ビットマップサブフィールド内で１に設定されたｎ番目のビットに対応することができ、グループ遅延ビットマップサブフィールド内で１に設定されたｎ番目のビットに対応するグループＩＤに関連付けられたグループ内のすべてのＳＴＡの中での最大ＰＣＲ遷移遅延を示し得る。最大グループＰＣＲ遷移フィールドのエンコーディングは、上記のＷＵＲ能力要素において述べられたように、ＰＣＲ遷移遅延サブフィールドのエンコーディングに従うことがあり得る。
【０１８７】
図１２は、フォーマット２の例示的なグループ最大ＰＣＲ遷移時間サブフィールド１２００を示す。図１２に示されるように、フォーマット２のグループ最大ＰＣＲ遷移時間サブフィールド１２００は、グループ最大ＰＣＲ遷移時間フィールドの数１２０５、グループＩＤ  １  １２１０、グループＩＤ  １に対するグループ最大ＰＣＲ遷移時間１２１５、グループＩＤ  Ｎ  １２２０、およびグループＩＤ  Ｎに対するグループ最大ＰＣＲ遷移時間１２２５を含み得る。このフォーマット１２００は、数個のグループＩＤだけに対するグループ最大ＰＣＲ遷移時間がある場合に使用され得る。グループ最大ＰＣＲ遷移時間フィールドカウント１２０５は、グループ最大ＰＣＲ遷移時間がそれに対して示されるグループＩＤの数を示すことがあり得る。グループ最大ＰＣＲ遷移時間フィールドカウント１２０５は、グループＩＤリストサブフィールド内のグループＩＤビットマップサブフィールドに含まれるビット「１」の数以下の値を示し得る。グループＩＤサブフィールドは、グループＩＤフィールドに後続するグループＮ最大ＰＣＲ遷移時間において、グループ最大ＰＣＲ遷移時間がそれに対して示されるグループＩＤを示し得る。
【０１８８】
ＷＵＲ  ＡＰは、ＷＵＲモード要素に含まれるＷＵＲパラメーターフィールド内の最大グループ遅延サブフィールドにおいてもたらされ得る。ＳＴＡのグループに対する最大ＰＣＲ遷移遅延は、グループＩＤによって識別され得る。最大ＰＣＲ遷移遅延は、アウェイク状態ではない、ＷＵＲ  ＡＰとのネゴシエートされたＷＵＲ電力管理サービスを有する、およびＷＵＲモードにある、すべてのＷＵＲ非ＡＰ  ＳＴＡによって示されるＷＵＲ能力要素におけるＰＣＲ遷移遅延値の最大値として定義され得る。
【０１８９】
それのＷＵＲＯｐｔｉｏｎＩｍｐｌｅｍｅｎｔｅｄが「真」に設定された非ＡＰ  ＳＴＡは、それが割り当てられたすべてのグループに対するグループ最大ＰＣＲ遷移時間を記録することがあり得る。それが、それに対してそれが関連付けられたグループＩＤを含むウェイクアップフレームを受信した場合、最初にそれは記憶されたグループ最大ＰＣＲ遷移時間をチェックし、それ自体のＰＣＲ遷移時間と、グループ最大ＰＣＲ遷移時間との間の差を決定することがあり得る。
【０１９０】
別の例において、それのＷＵＲＯｐｔｉｏｎＩｍｐｌｅｍｅｎｔｅｄが「真」に設定された非ＡＰは、グループ最大ＰＣＲ遷移時間と、それが割り当てられたすべてのグループに対するそれ自体のＰＣＲ遷移時間との間の差を計算し、ＧＩＤに関連付けられた各グループに対する差を記憶することがあり得る。それが、それに関連付けられたグループＩＤを含むウェイクアップフレームを受信した場合、最初にそれは、ＧＩＤに関連付けられたグループに対する、記憶された時間差をチェックすることがあり得る。非ＡＰ  ＳＴＡは、それのＰＣＲ遷移を、特定のＧＩＤに対するグループ最大ＰＣＲ遷移時間と、それ自体のＰＣＲ遷移時間との間の差以下の時間量を用いて、遅延させることがあり得る。代替としてまたは追加として、それはそれのＰＣＲ構成要素を直ちにオンにすることがあり得るが、特定のＧＩＤに対するグループ最大ＰＣＲ遷移時間と、それ自体のＰＣＲ遷移時間との間の差以下の時間が経過するまで、パケットの受信を試みなくてよい。
【０１９１】
別の例において、ＷＵＲ非ＡＰ  ＳＴＡが、ＳＴＡがそれに割り当てられたグループＩＤに対してアドレシングされたそれの関連付けられたＷＵＲ  ＡＰから、ＷＵＲウェイクアップフレームを受信した場合、およびグループＩＤに対する最大ＰＣＲ遷移遅延がＷＵＲモード要素内にＡＰによって示されている場合は、ＷＵＲ非ＡＰ  ＳＴＡのＰＣＲ構成要素は、グループＩＤに対する最大ＰＣＲ遷移遅延が満了するまで、ドーズ状態にあることがあり得る。
【０１９２】
本明細書で述べられる実施形態は、８０２．１１固有プロトコルを考慮しているが、本明細書で述べられる実施形態はこのシナリオに制限されず、セルラーネットワーク、４Ｇネットワーク、および５Ｇ（またはＮＲ）ネットワークなどの他のワイヤレスシステムにも適用可能であることが理解されるべきである。設計およびプロシージャの例において、様々なフレーム間の間隔を示すためにＳＩＦＳが使用されるが、ＲＩＦＳまたは他の合意された時間間隔など、すべての他のフレーム間の間隔が、同じソリューションに適用され得る。
【０１９３】
特徴および要素は上記では特定の組合せにおいて述べられたが、当業者は各特徴または要素は単独で、または他の特徴および要素との任意の組合せにおいて使用されることができることを理解するであろう。加えて、本明細書で述べられる方法は、コンピュータまたはプロセッサーによる実行のためにコンピュータ可読媒体に組み込まれたコンピュータプログラム、ソフトウェア、またはファームウェアにおいて実施され得る。コンピュータ可読媒体の例は、電子信号（有線またはワイヤレス接続を通して送信される）、およびコンピュータ可読記憶媒体を含む。コンピュータ可読記憶媒体の例は、読取り専用メモリー（ＲＯＭ）、ランダムアクセスメモリー（ＲＡＭ）、レジスタ、キャッシュメモリー、半導体メモリーデバイス、内蔵ハードディスクおよび取り外し可能なディスクなどの磁気媒体、光磁気媒体、ならびにＣＤ−ＲＯＭディスクおよびデジタル多用途ディスク（ＤＶＤ）などの光媒体を含むが、それらに限定されない。ソフトウェアと関連してプロセッサーは、ＷＴＲＵ、ＵＥ、端末、基地局、ＲＮＣ、または任意のホストコンピュータにおける使用のために、無線周波数トランシーバーを実施するために使用され得る。
【図１Ａ】
2021511709.tif 000003
【図１Ｂ】
2021511709.tif 000004
【図１Ｃ】
2021511709.tif 000005
【図１Ｄ】
2021511709.tif 000006
【図２】
2021511709.tif 000007
【図３】
2021511709.tif 000008
【図４】
2021511709.tif 000009
【図５】
2021511709.tif 000010
【図６】
2021511709.tif 000011
【図７】
2021511709.tif 000012
【図８】
2021511709.tif 000013
【図９】
2021511709.tif 000014
【図１０】
2021511709.tif 000015
【図１１】
2021511709.tif 000016
【図１２】
2021511709.tif 000017
【手続補正書】
【提出日】令和2年9月7日(2020.9.7)
【手続補正１】
【補正対象書類名】特許請求の範囲
【補正対象項目名】全文
【補正方法】変更
【補正の内容】
【特許請求の範囲】
【請求項１】
ワイヤレス送信／受信ユニット（ＷＴＲＵ）における使用のための方法であって、
プライマリーコネクティビティ無線（ＰＣＲ）トランシーバーに関連付けられた基本サービスセット（ＢＳＳ）に関連付けられたＢＳＳパラメーター更新カウンターを維持するステップと、
前記ＰＣＲトランシーバーを介して、前記ＰＣＲトランシーバーの前記ＢＳＳに関連付けられた前記ＢＳＳパラメーター更新カウンターの現在の値を示す第１のカウンター値を有するウェイクアップ無線（ＷＵＲ）オペレーションエレメントを含むビーコンフレームまたはＷＵＲアクションフレームを受信するステップと、
前記ＷＵＲオペレーションエレメントにおいて受信された前記第１のカウンター値に前記ＢＳＳパラメーター更新カウンターを更新するステップと、
前記ＰＣＲトランシーバーを非アクティブ化し、ＷＵＲモードに入るステップであって、前記ＰＣＲトランシーバーは、ドーズ状態に入る、ステップと、
前記ＰＣＲトランシーバーの前記ＢＳＳに関連付けられた複数のＢＳＳパラメーターの更新が利用可能であることを示す第２のカウンター値を含むＷＵＲフレームを受信するステップと、
前記第２のカウンター値が前記ＢＳＳパラメーター更新カウンターと異なるという条件で、前記ＰＣＲトランシーバーをアクティブ化して、前記複数のＢＳＳパラメーターの更新を含むビーコンフレームを受信するステップと
を備えることを特徴とする方法。
【請求項２】
前記アクションフレームは、ＷＵＲモードセットアップフレームであることを特徴とする請求項１に記載の方法。
【請求項３】
前記ＰＣＲトランシーバーが非アクティブ化された後にＷＵＲトランシーバーをアクティブ化して前記ＷＵＲモードに入るステップであって、前記ＷＵＲトランシーバーは、コンパニオンラジオである、ステップをさらに備えることを特徴とする請求項１に記載の方法。
【請求項４】
前記ＷＵＲフレームは、ブロードキャストＷＵＲウェイクアップフレームであることを特徴とする請求項１に記載の方法。
【請求項５】
アウェイク状態における前記ＰＣＲトランシーバーを介して、前記ＷＵＲフレームに応答して応答フレームを送信するステップ
をさらに備えることを特徴とする請求項１に記載の方法。
【請求項６】
ワイヤレス送信／受信ユニット（ＷＴＲＵ）であって、
プライマリーコネクティビティ無線（ＰＣＲ）トランシーバーと、
プロセッサーと
を備え、
前記プロセッサーは、前記ＰＣＲトランシーバーの基本サービスセット（ＢＳＳ）に関連付けられたＢＳＳパラメーター更新カウンターを維持するように構成され、
前記プロセッサーおよび前記ＰＣＲトランシーバーは、前記ＰＣＲトランシーバーに関連付けられた前記ＢＳＳに関連付けられた前記ＢＳＳパラメーター更新カウンターの現在の値を示す第１のカウンター値を有するウェイクアップ無線（ＷＵＲ）オペレーションエレメントを含むビーコンフレームまたはＷＵＲアクションフレームを受信するように構成され、
前記プロセッサーは、
前記ＷＵＲオペレーションエレメントにおいて受信された前記第１のカウンター値に前記ＢＳＳパラメーター更新カウンターを更新し、
前記ＰＣＲトランシーバーを非アクティブ化し、ＷＵＲモードに入り、前記ＰＣＲトランシーバーは、ドーズ状態に入り、
前記ＷＵＲモードにある間、前記ＰＣＲトランシーバーの前記ＢＳＳに関連付けられた複数のＢＳＳパラメーターの更新が利用可能であることを示す第２のカウンター値を含むＷＵＲフレームを受信し、
前記第２のカウンター値が前記ＢＳＳパラメーター更新カウンターと異なるという条件で、前記ＰＣＲトランシーバーをアクティブ化して、前記複数のＢＳＳパラメーターの更新を含むビーコンフレームを受信する
ようにさらに構成されることを特徴とするＷＴＲＵ。
【請求項７】
前記アクションフレームは、ＷＵＲモードセットアップフレームであることを特徴とする請求項６に記載のＷＴＲＵ。
【請求項８】
ＷＵＲトランシーバーであって、前記ＰＣＲトランシーバーが非アクティブ化された後に前記ＷＵＲトランシーバーをアクティブ化して前記ＷＵＲモードに入るように構成される、ＷＵＲトランシーバーをさらに備え、前記ＷＵＲトランシーバーは、コンパニオンラジオであることを特徴とする請求項６に記載のＷＴＲＵ。
【請求項９】
前記ＷＵＲフレームは、ブロードキャストＷＵＲウェイクアップフレームであることを特徴とする請求項６に記載のＷＴＲＵ。
【請求項１０】
アウェイク状態における前記ＰＣＲトランシーバーは、前記ＷＵＲフレームに応答して応答フレームを送信するようにさらに構成されることを特徴とする請求項６に記載のＷＴＲＵ。
【国際調査報告】
2021511709.tif 000018
2021511709.tif 000019